(57)【要約】  ＣＱＩレポートを取得する前であっても適切な通信が行えるようにする。端末装置２との間で無線通信を行う基地局装置１ｂであって、ＣＱＩレポートを端末装置から取得するレポート取得部と、送信状態を選択する選択部と、を備えている。送信状態には、他の基地局装置１ａから干渉を受けない無線リソースを含んで構成される第１無線リソースサブセットＡを利用して送信が行われる第１送信状態、及び、他の基地局装置１ｂから干渉を受ける可能性がある無線リソースを含んで構成される第２無線リソースサブセットＢを少なくとも利用して送信が行われる第２送信状態、が含まれている。前記レポート取得部１４は、第２無線リソースサブセットのＣＱＩレポートを、端末装置２から取得する。選択部１５は、ＣＱＩレポートに基づいて、第１送信状態及び第２送信状態のいずれか一方を選択するとともに、ＣＱＩレポートが取得されるまでの間は、第１送信状態を選択する。
2012096049.tif 000002
【特許請求の範囲】
【請求項１】
端末装置との間で無線通信を行う基地局装置であって、
通信品質の測定結果に関するレポートを前記端末装置から取得するレポート取得部と、
送信状態を選択する選択部と、
を備え、
前記送信状態には、他の基地局装置から干渉を受けない１又は複数の無線リソースを含んで構成される第１無線リソースサブセットを利用して送信が行われる第１送信状態、及び、他の基地局装置から干渉を受ける可能性がある１又は複数の無線リソースを含んで構成される第２無線リソースサブセットを少なくとも利用して送信が行われる第２送信状態、が少なくとも含まれ、
前記レポート取得部は、前記第２無線リソースサブセットを含む１又は複数の無線リソースサブセットの通信品質の測定結果に関するレポートを、前記端末装置から取得し、
前記選択部は、前記レポートが取得されると、前記レポートに基づいて、前記端末装置への送信状態として前記第１送信状態及び第２送信状態のいずれか一方を選択するとともに、
前記レポートが取得されるまでの間は、前記端末装置への送信状態として前記第１送信状態を選択する
ことを特徴とする基地局装置。
【請求項２】
前記第２無線リソースサブセットを含む１又は複数の前記無線リソースサブセットを示すサブセット情報を、通知する通知部を更に備え、
前記通知部は、前記端末装置に対して前記サブセット情報を通知可能である他の基地局装置に対して、前記サブセット情報を通知する
請求項１記載の基地局装置。
【請求項３】
前記第２無線リソースサブセットを含む１又は複数の前記無線リソースサブセットを示すサブセット情報を、通知する通知部を更に備え、
前記通知部は、前記端末装置が自基地局装置へハンドオーバするためのハンドオーバ処理中に、前記サブセット情報をハンドオーバ処理におけるソース基地局装置へ通知する
請求項１又は２記載の基地局装置。
【請求項４】
前記通知部は、ハンドオーバ処理のために前記ソース基地局装置に送信されるメッセージに前記サブセット情報を含めることで、前記サブセット情報を前記ソース基地局装置へ通知する
請求項３記載の基地局装置。
【請求項５】
ハンドオーバ処理のために前記ソース基地局装置に送信される前記メッセージは、前記ソース基地局装置から送信されたハンドオーバ要求に対する応答である
請求項４記載の基地局装置。
【請求項６】
前記第２無線リソースサブセットを含む１又は複数の前記無線リソースサブセットを示すサブセット情報を、前記端末装置へ通知する通知部を更に備えている
請求項１記載の基地局装置。
【請求項７】
前記通知部は、前記サブセット情報を報知情報として送信する
請求項６記載の基地局装置。
【請求項８】
前記通知部は、前記端末装置と前記基地局装置との接続を確立する接続確立処理中に、前記サブセット情報を前記端末装置へ通知する
請求項６記載の基地局装置。
【請求項９】
前記通知部は、前記端末装置と前記基地局装置との接続の確立のために前記基地局装置から前記端末装置に送信されるメッセージに前記サブセット情報を含めることで、前記サブセット情報を前記端末装置へ通知する
請求項８記載の基地局装置。
【請求項１０】
前記第２送信状態では、第１無線リソースサブセット及び第２無線リソースサブセットを利用して送信が行われる
請求項１〜９のいずれか１項に記載の基地局装置。
【請求項１１】
前記無線リソースは、時間リソース又は周波数リソースである
請求項１〜１０のいずれか１項に記載の基地局装置。
【請求項１２】
前記無線リソースは、サブフレーム又はキャリアである
請求項１〜１１のいずれか１項に記載の基地局装置。
【請求項１３】
基地局装置との間で無線通信を行う端末装置であって、
他の基地局装置から干渉を受ける可能性がある１又は複数の無線リソースを含んで構成される無線リソースサブセットの通信品質を測定する測定部と、
前記測定部による測定結果に関するレポートを前記基地局装置に送信する送信部と、
前記測定部によって通信品質を測定すべき無線リソースサブセットを示すサブセット情報を、取得するサブセット情報取得部と、を備えている
ことを特徴とする端末装置。
【請求項１４】
前記取得部は、前記他の基地局装置から前記サブセット情報を取得する
請求項１３記載の端末装置。
【請求項１５】
前記取得部は、ハンドオーバ処理におけるソース基地局装置から前記サブセット情報を取得する
請求項１３又は１４記載の端末装置。
【請求項１６】
前記サブセット情報は、前記基地局装置から送信される報知情報に含まれており、
前記サブセット情報取得部は、前記報知情報を前記基地局装置から受信することで、前記サブセット情報を取得する
請求項１３記載の端末装置。
【請求項１７】
前記測定部は、前記端末装置と前記基地局装置との接続を確立する接続確立処理の前に受信した前記報知情報に含まれる前記サブセット情報が示す無線リソースサブセットの通信品質を測定し、
前記送信部は、前記レポートを、前記接続確立処理中に送信する
請求項１６記載の端末装置。
【請求項１８】
前記サブセット情報は、前記端末装置と前記基地局装置との接続の確立のために前記基地局装置から前記端末装置に送信されるメッセージに含まれており、
前記サブセット情報取得部は、前記メッセージを前記基地局装置から受信することで、前記サブセット情報を取得する
請求項１３記載の端末装置。
【請求項１９】
基地局装置と、前記基地局装置との間で無線通信を行う端末装置と、を含む無線通信システムであって、
前記基地局装置は、通信品質の測定結果に関するレポートを前記端末装置から取得するレポート取得部と、送信状態を選択する選択部と、を備え、
前記送信状態には、他の基地局装置から干渉を受けない１又は複数の無線リソースを含んで構成される第１無線リソースサブセットを利用して送信が行われる第１送信状態、及び、他の基地局装置から干渉を受ける可能性がある１又は複数の無線リソースを含んで構成される第２無線リソースサブセットを少なくとも利用して送信が行われる第２送信状態、が少なくとも含まれ、
前記レポート取得部は、前記第２無線リソースサブセットを含む１又は複数の無線リソースサブセットの通信品質の測定結果に関するレポートを、前記端末装置から取得し、
前記選択部は、前記レポートが取得されると、前記レポートに基づいて、前記端末装置への送信状態として前記第１送信状態及び第２送信状態のいずれか一方を選択するとともに、
前記レポートが取得されるまでの間は、前記端末装置への送信状態として前記第１送信状態を選択する
ことを特徴とする無線通信システム。
【請求項２０】
前記基地局装置は、前記第２無線リソースサブセットを含む１又は複数の前記無線リソースサブセットを示すサブセット情報を、通知する通知部を更に備え、
前記通知部は、前記端末装置に対して前記サブセット情報を通知可能である他の基地局装置に対して、前記サブセット情報を通知し、
前記他の基地局装置が、前記サブセット情報を、前記端末装置へ通知する
請求項１９記載の無線通信システム。
【請求項２１】
基地局装置が送信状態を選択する方法であって、
前記送信状態には、他の基地局装置から干渉を受けない１又は複数の無線リソースを含んで構成される第１無線リソースサブセットを利用して送信が行われる第１送信状態、及び、他の基地局装置から干渉を受ける可能性がある１又は複数の無線リソースを含んで構成される第２無線リソースサブセットを少なくとも利用して送信が行われる第２送信状態、が少なくとも含まれ、
前記基地局装置は、
前記第２無線リソースサブセットを含む１又は複数の無線リソースサブセットの通信品質の測定結果に関するレポートを前記端末装置から取得するまでの間は、前記端末装置への送信状態として前記第１送信状態を選択し、
前記レポートを取得すると、前記レポートに基づいて、前記端末装置への送信状態として前記第１送信状態及び第２送信状態のいずれか一方を選択する
ことを特徴とする方法。
【請求項２２】
情報を、基地局装置から端末装置へ送信する方法であって、
前記情報は、前記端末装置による通信品質の測定対象となる１又は複数の無線リソースを含んで構成される無線リソースサブセットを示すサブセット情報であり、
前記基地局装置は、前記端末装置に対して前記サブセット情報を通知可能である他の基地局装置に対して、前記サブセット情報を通知し、
前記他の基地局装置は、前記サブセット情報を、前記端末装置へ送信する
ことを特徴とする方法。
【請求項２３】
端末装置との間で無線通信を行う基地局装置であって、
通信品質の測定結果に関するレポートを前記端末装置から取得するレポート取得部と、
送信状態を選択する選択部と、
を備え、
前記送信状態には、他の基地局装置から干渉を受けない１又は複数の無線リソースを含んで構成される第１無線リソースサブセットを利用して送信が行われる第１送信状態、及び、他の基地局装置から干渉を受ける可能性がある１又は複数の無線リソースを含んで構成される第２無線リソースサブセットを少なくとも利用して送信が行われる第２送信状態、が少なくとも含まれ、
前記レポート取得部は、前記第２無線リソースサブセットを含む１又は複数の無線リソースサブセットの通信品質の測定結果に関するレポートを、前記端末装置から取得し、
前記選択部は、前記端末装置から送信された前記レポートに基づいて、前記端末装置への送信状態として前記第１送信状態及び第２送信状態のいずれか一方を選択し、
前記レポート取得部が取得する前記レポートは、前記第２無線リソースサブセットを含む１又は複数の前記無線リソースサブセットの通信品質を、前記端末装置と前記基地局装置との接続が確立する前に前記端末装置に測定させて得られた測定結果に関するものである
ことを特徴とする基地局装置。
【請求項２４】
前記第２無線リソースサブセットを含む１又は複数の前記無線リソースサブセットを示すサブセット情報を、前記端末装置へ通知する通知部を更に備えている
請求項２３記載の基地局装置。
【請求項２５】
前記通知部は、前記サブセット情報を報知情報として送信する
請求項２４記載の基地局装置。
【請求項２６】
前記通知部は、前記端末装置の位置するエリアを登録する位置登録処理中に、前記端末装置への前記サブセット情報の通知を行う
請求項２４記載の基地局装置。
【請求項２７】
前記レポート取得部は、前記端末装置と前記基地局装置との接続を確立する接続確立処理中または前記接続確立処理の直後に、前記端末装置から前記レポートを取得する
請求項２３〜２６のいずれか１項に記載の基地局装置。
【請求項２８】
前記レポートは、前記端末装置と前記基地局装置との接続の確立のために前記端末装置から前記基地局装置に送信されるメッセージに含まれており、
前記レポート取得部は、前記メッセージを前記端末装置から受信することで、前記レポートを取得する
請求項２７記載の基地局装置。
【請求項２９】
前記レポート取得部は、前記接続確立処理中または前記接続確立処理の直後において、前記端末装置と前記基地局装置との接続の確立のために前記端末装置から前記基地局装置に送信されるメッセージとは別に、前記端末装置から前記レポートを取得する
請求項２７記載の基地局装置。
【請求項３０】
前記選択部は、前記第２無線リソースサブセットの通信品質に基づいて、又は、前記第１無線リソースサブセット及び第２無線リソースサブセットの通信品質に基づいて、選択を行う
請求項２３〜２９のいずれか１項に記載の基地局装置。
【請求項３１】
前記選択部は、前記レポートが取得されるまでの間は、前記端末装置への送信状態として前記第１送信状態を選択する
請求項２３〜３０のいずれか１項に記載の基地局装置。
【請求項３２】
基地局装置との間で無線通信を行う端末装置であって、
他の基地局装置から干渉を受ける可能性がある１又は複数の無線リソースを含んで構成される無線リソースサブセットの通信品質を測定する測定部と、
前記測定部による測定結果に関するレポートを前記基地局装置に送信する送信部と、
を備え、
前記測定部は、前記無線リソースサブセットの通信品質の測定を、前記端末装置と前記基地局装置との接続が確立する前に行う
ことを特徴とする端末装置。
【請求項３３】
前記無線リソースサブセットを前記基地局装置から取得する機能がＲＲＣレイヤの機能として設けられ、
前記測定部は、ＰＨＹレイヤの機能として設けられ、
前記ＰＨＹレイヤの前記測定部は、前記ＲＲＣレイヤ又は前記ＲＲＣレイヤと前記ＰＨＹレイヤとの間のレイヤで制御されるタイミングに基づいて、前記無線リソースサブセットの通信品質の測定を行う
請求項３２記載の端末装置。
【請求項３４】
前記測定部によって前記無線リソースサブセットの通信品質の測定が行われるタイミングを制御する制御部を更に備えている
ことを特徴とする請求項３２又は３３記載の端末装置。
【請求項３５】
前記制御部は、周期的に、前記測定部に対して前記無線リソースサブセットの通信品質の測定の指示を与える
請求項３４記載の端末装置。
【請求項３６】
前記制御部は、前記端末装置と前記基地局装置との接続を確立する接続確立処理の開始の契機となるイベントが発生すると、前記測定部に対して前記無線リソースサブセットの通信品質の測定の指示を与える
請求項３４記載の端末装置。
【請求項３７】
前記無線リソースサブセットを示すサブセット情報を、前記基地局装置から取得するサブセット情報取得部を更に備えている
請求項３２〜３６のいずれか１項に記載の端末装置。
【請求項３８】
前記サブセット情報取得部は、前記基地局装置から報知情報として送信された前記サブセット情報を前記基地局装置から取得する
請求項３７記載の端末装置。
【請求項３９】
前記サブセット情報取得部は、前記端末装置の位置するエリアを登録する位置登録処理中に、前記サブセット情報を前記基地局装置から取得する
請求項３７記載の端末装置。
【請求項４０】
前記送信部は、前記端末装置と前記基地局装置との接続を確立する接続確立処理中または前記接続確立処理の直後に、前記レポートを前記基地局装置に送信する
請求項３２〜３９のいずれか１項に記載の端末装置。
【請求項４１】
前記送信部は、前記端末装置と前記基地局装置との接続の確立のために前記端末装置から前記基地局装置に送信されるメッセージに、前記レポートを含めることで、前記レポートを前記基地局装置に送信する
請求項４０記載の端末装置。
【請求項４２】
前記送信部は、前記接続確立処理中または前記接続確立処理の直後において、前記端末装置と前記基地局装置との接続の確立のために前記端末装置から前記基地局装置に送信されるメッセージとは別に、前記レポートを前記基地局装置に送信する
請求項１６記載の端末装置。
【請求項４３】
基地局装置と、前記基地局装置との間で無線通信を行う端末装置と、を含む無線通信システムであって、
前記基地局装置は、
通信品質の測定結果に関するレポートを前記端末装置から取得するレポート取得部と、
送信状態を選択する選択部と、
を備え、
前記送信状態には、他の基地局装置から干渉を受けない１又は複数の無線リソースを含んで構成される第１無線リソースサブセットを利用して送信が行われる第１送信状態、及び、他の基地局装置から干渉を受ける可能性がある１又は複数の無線リソースを含んで構成される第２無線リソースサブセットを少なくとも利用して送信が行われる第２送信状態、が少なくとも含まれ、
前記レポート取得部は、前記第２無線リソースサブセットを含む１又は複数の無線リソースサブセットの通信品質の測定結果に関するレポートを、前記端末装置から取得し、
前記選択部は、前記端末装置から送信された前記レポートに基づいて、前記端末装置への送信状態として前記第１送信状態及び前記第２送信状態のいずれか一方を選択し、
前記端末装置は、
前記第２無線リソースサブセットを含む１又は複数の前記無線リソースサブセットの通信品質を測定する測定部と、
前記測定部による測定結果に関するレポートを前記基地局装置に送信する送信部と、
を備え、
前記測定部は、前記通信品質の測定を、前記端末装置と前記基地局装置との接続が確立する前に行う
ことを特徴とする無線通信システム。
【請求項４４】
端末装置がダウンリンクの通信品質を測定する測定ステップと、
前記端末装置が前記通信品質の測定結果に関するレポートを基地局装置に送信する送信ステップと、
前記基地局装置が送信状態を選択する選択ステップと、
を含み、
前記送信状態には、他の基地局装置から干渉を受けない１又は複数の無線リソースを含んで構成される第１無線リソースサブセットを利用して送信が行われる第１送信状態、及び、他の基地局装置から干渉を受ける可能性がある１又は複数の無線リソースを含んで構成される第２無線リソースサブセットを少なくとも利用して送信が行われる第２送信状態が少なくとも含まれ、
前記測定ステップでは、前記第２無線リソースサブセットを含む１又は複数の無線リソースサブセットの通信品質が測定され、
前記選択ステップでは、前記端末装置から送信された前記レポートに基づいて、前記端末装置への送信状態として前記第１送信状態及び第２送信状態のいずれか一方が選択され、
前記測定ステップは、前記端末装置と前記基地局装置との接続が確立する前に行われる
ことを特徴とする方法。
【請求項４５】
基地局装置から端末装置への送信方法であって、
前記基地局装置は、端末装置が通信品質を測定すべき１又は複数の無線リソースを含んで構成される無線リソースサブセットを示すサブセット情報を、報知情報に含めて送信することを特徴とする方法。
【請求項４６】
基地局装置から端末装置への送信方法であって、
前記基地局装置は、端末装置が通信品質を測定すべき１又は複数の無線リソースを含んで構成される無線リソースサブセットを示すサブセット情報を、無線接続制御におけるメッセージに含めて送信することを特徴とする方法。
【請求項４７】
端末装置から基地局装置への送信方法であって、
通信品質の測定結果のレポートを、無線接続制御におけるメッセージに含めて送信することを特徴とする方法。
【発明の詳細な説明】
【技術分野】
【０００１】
本発明は、基地局装置、端末装置、無線通信システム、及び方法に関するものである。
【背景技術】
【０００２】
従来、移動通信システムでは、半径数百メートルから数十キロメートルのセル（マクロセル）を形成する基地局装置による無線通信サービスが提供されてきた。
近年、ＬＴＥ（Long Term Evolution）の導入に伴い、データ通信トラヒックが劇的に増加することが予想されている。そこで、マクロセルと比較してセル半径の小さいセル（ピコセルなど）を形成する小型基地局装置を、マクロセル圏内に配置することが検討されている（非特許文献１参照）。
多量のデータ通信を行う端末装置をマクロセルからピコセルへ移動させて、ピコセルから通信させることで、増加するトラフィックに対応することができる。
【先行技術文献】
【非特許文献】
【０００３】
【非特許文献１】3GPP, "TS36.104 V10.0.0 BaseStation(BS) radio transmission and reception", 2010-09
【発明の概要】
【発明が解決しようとする課題】
【０００４】
ピコセルは、マクロセル圏内に配置されるため、ピコセルとマクロセルとが同一の通信周波数を使用した場合、ピコセルのセルエッジ付近に位置する端末装置は、マクロセルから強い干渉を受けることが懸念される。
つまり、ピコセルのセル中央付近（ピコセルを形成する小型基地局装置の近傍）では、マクロセルを形成する基地局装置からの電波に比べて、ピコセルを形成する小型基地局装置からの電波の方が強い。したがって、ピコセルの端末装置の通信品質は、比較的良好である。
しかし、ピコセルを形成する小型基地局装置から離れると、小型基地局装置からの電波が弱くなる。この結果、ピコセルのセルエッジ付近では、マクロセルからの電波の干渉を受け易くなる。【０００５】
そこで、マクロセルが使用可能な無線リソースにおいて、不使用の無線リソースを設けておくことが考えられる。例えば、マクロセルが送信するフレームにおいて、時間的に通信周波数を不使用とする区間（ブランクサブフレーム）を設けておくことが考えられる。マクロセル側がブランクサブフレームであれば、ピコセル内の端末装置は、マクロセル側から干渉を受けない。したがって、ピコセル内の端末装置は、そのブランクサブフレームを利用して通信を行い、マクロセルにおいて通信が行われている区間では、できるだけ通信を行わないことで、マクロセルからの干渉による通信品質低下を抑制することができる。これにより、端末装置が、ピコセルのセルエッジ付近に位置していても、通信品質の低下を抑制できる。
また、マクロセルが使用可能な周波数（キャリア）のうち、不使用とする周波数（ブランクキャリア）を設けておくことも考えられる。ピコセル内の端末装置は、そのブランクキャリアを利用して通信を行い、マクロセルにおいて通信に利用されているキャリアをできるだけ利用しないことで、端末装置が、ピコセルのセルエッジ付近に位置していていても、通信品質の低下を抑制できる【０００６】
ただし、ピコセルのセル中央付近（ピコセルを形成する小型基地局装置の近傍）では、元々、マクロセルからの干渉は少ないから、端末装置が、マクロセルにおいて通信に利用されている区間又は周波数で通信を行っても、通信品質の低下はさほど問題とならない。したがって、通信効率の観点からは、ピコセルのセル中央付近に位置する端末装置については、マクロセルにおいて通信に利用されている無線リソースであっても、積極的に通信を使用することが望まれる。【０００７】
以上の観点によれば、端末装置が、通信に使用するのに好ましい無線リソースは、セル内における端末装置の位置（基地局装置からの距離）に依存することになる。
ここで、基地局装置が、セル内における端末装置の位置（基地局装置からの距離）を認識するには、端末装置に通信品質を測定させて、その結果を基地局装置に送信させることで行える。しかし、このようにして、セル内における端末装置の位置（基地局装置からの距離）を認識しようとすると、基地局装置と端末装置との間で通信を行うことが必要となる。【０００８】
したがって、端末装置が基地局装置との間で接続を確立する前においては、基地局装置は、端末装置の位置を事前に認識することはできない。そして、端末装置の位置の認識が遅れると、基地局装置と端末装置との間の通信を適切な無線リソースを利用して行えるようになるのが遅れるという問題が発生する。【０００９】
そこで、本発明は、上記問題の解決に関連してなされたものである。
【課題を解決するための手段】
【００１０】
（１）本発明は、端末装置との間で無線通信を行う基地局装置であって、通信品質の測定結果に関するレポートを前記端末装置から取得するレポート取得部と、送信状態を選択する選択部と、を備え、前記送信状態には、他の基地局装置から干渉を受けない１又は複数の無線リソースを含んで構成される第１無線リソースサブセットを利用して送信が行われる第１送信状態、及び、他の基地局装置から干渉を受ける可能性がある１又は複数の無線リソースを含んで構成される第２無線リソースサブセットを少なくとも利用して送信が行われる第２送信状態、が少なくとも含まれ、前記レポート取得部は、前記第２無線リソースサブセットを含む１又は複数の無線リソースサブセットの通信品質の測定結果に関するレポートを、前記端末装置から取得し、前記選択部は、前記レポートが取得されると、前記レポートに基づいて、前記端末装置への送信状態として前記第１送信状態及び第２送信状態のいずれか一方を選択するとともに、前記レポートが取得されるまでの間は、前記端末装置への送信状態として前記第１送信状態を選択することを特徴とする基地局装置である。【００１１】
上記本発明によれば、レポートが取得されるまでは、他の基地局装置から干渉を受けない１又は複数の無線リソースを含んで構成される第１無線リソースサブセットを利用して送信が行われる第１送信状態が選択される。したがって、たとえ、レポートの取得が遅れても、レポートが取得されるまでの間は、干渉を受けにくい第１送信状態での通信が保証される。【００１２】
（２）前記第２無線リソースサブセットを含む１又は複数の前記無線リソースサブセットを示すサブセット情報を、通知する通知部を更に備え、前記通知部は、前記端末装置に対して前記サブセット情報を通知可能である他の基地局装置に対して、前記サブセット情報を通知するのが好ましい。この場合、前記他の基地局装置を経由して、前記端末装置へサブセット情報を通知することが可能となる。【００１３】
（３）前記第２無線リソースサブセットを含む１又は複数の前記無線リソースサブセットを示すサブセット情報を、通知する通知部を更に備え、前記通知部は、前記端末装置が自基地局装置へハンドオーバするためのハンドオーバ処理中に、前記サブセット情報をハンドオーバ処理におけるソース基地局装置へ通知するのが好ましい。この場合、ハンドオーバ処理中に、ソース基地局装置を経由して、前記端末装置へサブセット情報を通知することが可能となる。【００１４】
（４）前記通知部は、ハンドオーバ処理のために前記ソース基地局装置に送信されるメッセージに前記サブセット情報を含めることで、前記サブセット情報を前記ソース基地局装置へ通知するのが好ましい。この場合、ハンドオーバ処理のためのメッセージを利用してサブセット情報を通知することができる。【００１５】
（５）ハンドオーバ処理のために前記ソース基地局装置に送信される前記メッセージは、前記ソース基地局装置から送信されたハンドオーバ要求に対する応答であるのが好ましい。【００１６】
（６）前記基地局装置は、前記第２無線リソースサブセットを含む１又は複数の前記無線リソースサブセットを示すサブセット情報を、前記端末装置へ通知する通知部を更に備えているのが好ましい。この場合、基地局装置は、通信品質を測定すべき第２無線リソースサブセットを端末装置へ通知することができる。【００１７】
（７）前記通知部は、前記サブセット情報を報知情報として送信するのが好ましい。【００１８】
（８）前記通知部は、前記端末装置と前記基地局装置との接続を確立する接続確立処理中に、前記サブセット情報を前記端末装置へ通知するのが好ましい。この場合、端末装置は比較的早期にサブセット情報を取得できる。【００１９】
（９）前記通知部は、前記端末装置と前記基地局装置との接続の確立のために前記基地局装置から前記端末装置に送信されるメッセージに前記サブセット情報を含めることで、前記サブセット情報を前記端末装置へ通知するのが好ましい。この場合、端末装置は比較的早期にサブセット情報を取得できる。【００２０】
（１０）前記第２送信状態では、第１無線リソースサブセット及び第２無線リソースサブセットを利用して送信が行われるのが好ましい。【００２１】
（１１）前記無線リソースは、時間リソース又は周波数リソースであるのが好ましい。【００２２】
（１２）前記無線リソースは、サブフレーム又はキャリアであるのが好ましい。【００２３】
（１３）他の観点からみた本発明は、基地局装置との間で無線通信を行う端末装置であって、他の基地局装置から干渉を受ける可能性がある１又は複数の無線リソースを含んで構成される無線リソースサブセットの通信品質を測定する測定部と、前記測定部による測定結果に関するレポートを前記基地局装置に送信する送信部と、前記測定部によって通信品質を測定すべき無線リソースサブセットを示すサブセット情報を、前記基地局装置から取得するサブセット情報取得部と、を備えていることを特徴とする端末装置である。【００２４】
（１４）前記取得部は、前記他の基地局装置から前記サブセット情報を取得するのが好ましい。【００２５】
（１５）前記取得部は、ハンドオーバ処理におけるソース基地局装置から前記サブセット情報を取得するのが好ましい。【００２６】
（１６）前記サブセット情報は、前記基地局装置から送信される報知情報に含まれており、前記サブセット情報取得部は、前記報知情報を前記基地局装置から受信することで、前記サブセット情報を取得するのが好ましい。【００２７】
（１７）前記測定部は、前記端末装置と前記基地局装置との接続を確立する接続確立処理の前に受信した前記報知情報に含まれる前記サブセット情報が示す無線リソースサブセットの通信品質を測定し、前記送信部は、前記レポートを、前記接続確立処理中に送信するのが好ましい。【００２８】
（１８）前記サブセット情報は、前記端末装置と前記基地局装置との接続の確立のために前記基地局装置から前記端末装置に送信されるメッセージに含まれており、前記サブセット情報取得部は、前記メッセージを前記基地局装置から受信することで、前記サブセット情報を取得するのが好ましい。【００２９】
（１９）他の観点からみた本発明は、基地局装置と、前記基地局装置との間で無線通信を行う端末装置と、を含む無線通信システムであって、前記基地局装置は、通信品質の測定結果に関するレポートを前記端末装置から取得するレポート取得部と、送信状態を選択する選択部と、を備え、前記送信状態には、他の基地局装置から干渉を受けない１又は複数の無線リソースを含んで構成される第１無線リソースサブセットを利用して送信が行われる第１送信状態、及び、他の基地局装置から干渉を受ける可能性がある１又は複数の無線リソースを含んで構成される第２無線リソースサブセットを少なくとも利用して送信が行われる第２送信状態、が少なくとも含まれ、前記レポート取得部は、前記第２無線リソースサブセットを含む１又は複数の無線リソースサブセットの通信品質の測定結果に関するレポートを、前記端末装置から取得し、前記選択部は、前記レポートが取得されると、前記レポートに基づいて、前記端末装置への送信状態として前記第１送信状態及び第２送信状態のいずれか一方を選択するとともに、前記レポートが取得されるまでの間は、前記端末装置への送信状態として前記第１送信状態を選択することを特徴とする無線通信システムである。【００３０】
（２０）前記基地局装置は、前記第２無線リソースサブセットを含む１又は複数の前記無線リソースサブセットを示すサブセット情報を、通知する通知部を更に備え、前記通知部は、前記端末装置に対して前記サブセット情報を通知可能である他の基地局装置に対して、前記サブセット情報を通知し、前記他の基地局装置が、前記サブセット情報を、前記端末装置へ通知するのが好ましい。【００３１】
（２１）他の観点からみた本発明は、基地局装置が送信状態を選択する方法であって、前記送信状態には、他の基地局装置から干渉を受けない１又は複数の無線リソースを含んで構成される第１無線リソースサブセットを利用して送信が行われる第１送信状態、及び、他の基地局装置から干渉を受ける可能性がある１又は複数の無線リソースを含んで構成される第２無線リソースサブセットを少なくとも利用して送信が行われる第２送信状態、が少なくとも含まれ、前記基地局装置は、前記第２無線リソースサブセットを含む１又は複数の無線リソースサブセットの通信品質の測定結果に関するレポートを前記端末装置から取得するまでの間は、前記端末装置への送信状態として前記第１送信状態を選択し、前記レポートを取得すると、前記レポートに基づいて、前記端末装置への送信状態として前記第１送信状態及び第２送信状態のいずれか一方を選択する
ことを特徴とする方法である。【００３２】
（２２）他の観点からみた本発明は、情報を、基地局装置から端末装置へ送信する方法であって、前記情報は、前記端末装置による通信品質の測定対象となる１又は複数の無線リソースを含んで構成される無線リソースサブセットを示すサブセット情報であり、前記基地局装置は、前記端末装置に対して前記サブセット情報を通知可能である他の基地局装置に対して、前記サブセット情報を通知し、前記他の基地局装置は、前記サブセット情報を、前記端末装置へ送信することを特徴とする方法である。【００３３】
（２３）本発明は、端末装置との間で無線通信を行う基地局装置であって、通信品質の測定結果に関するレポートを前記端末装置から取得するレポート取得部と、送信状態を選択する選択部と、を備え、前記送信状態には、他の基地局装置から干渉を受けない１又は複数の無線リソースを含んで構成される第１無線リソースサブセットを利用して送信が行われる第１送信状態、及び、他の基地局装置から干渉を受ける可能性がある１又は複数の無線リソースを含んで構成される第２無線リソースサブセットを少なくとも利用して送信が行われる第２送信状態、が少なくとも含まれ、前記レポート取得部は、前記第２無線リソースサブセットを含む１又は複数の無線リソースサブセットの通信品質の測定結果に関するレポートを、前記端末装置から取得し、前記選択部は、前記端末装置から送信された前記レポートに基づいて、前記端末装置への送信状態として前記第１送信状態及び第２送信状態のいずれか一方を選択し、前記レポート取得部が取得する前記レポートは、前記第２無線リソースサブセットを含む１又は複数の前記無線リソースサブセットの通信品質を、前記端末装置と前記基地局装置との接続が確立する前に前記端末装置に測定させて得られた測定結果に関するものであることを特徴とする基地局装置である。【００３４】
上記本発明によれば、通信品質の測定が、接続が確立する前に行われているため、基地局装置は、通信品質の測定結果に関するレポートを、比較的早期に取得することが可能である。したがって、第１送信状態又は第２送信状態の選択を比較的に早期に行うことができる。【００３５】
（２４）前記第２無線リソースサブセットを含む１又は複数の前記無線リソースサブセットを示すサブセット情報を、前記端末装置へ通知する通知部を更に備えているのが好ましい。この場合、基地局装置は、通信品質を測定すべき無線リソースサブセットを端末装置へ通知することができる。【００３６】
（２５）前記通知部は、前記サブセット情報を報知情報（Ｂｒｏａｄｃａｓｔ  Ｉｎｆｏｒｍａｔｉｏｎ）として送信するのが好ましい。この場合、端末装置と基地局装置との接続が確立していなくても、端末装置はサブセット情報を取得できる。【００３７】
（２６）前記通知部は、前記端末装置の位置するエリアを登録する位置登録処理中に、前記端末装置への前記サブセット情報の通知を行なっても良い。この場合、端末装置は、位置登録処理後にアイドルモードに戻ったときに、サブセット情報を取得できていることになる。【００３８】
（２７）前記レポート取得部は、前記端末装置と前記基地局装置との接続を確立する接続確立処理中または前記接続確立処理の直後に、前記端末装置から前記レポートを取得するのが好ましい。この場合、基地局装置は、比較的早期にレポートを取得できる。【００３９】
（２８）前記レポートは、前記端末装置と前記基地局装置との接続の確立のために前記端末装置から前記基地局装置に送信されるメッセージに含まれており、前記レポート取得部は、前記メッセージを前記端末装置から受信することで、前記レポートを取得するのが好ましい。この場合、基地局装置は、接続確立処理中という早い段階で、レポートを取得できる。【００４０】
（２９）前記レポート取得部は、前記接続確立処理中または前記接続確立処理の直後において、前記端末装置と前記基地局装置との接続の確立のために前記端末装置から前記基地局装置に送信されるメッセージとは別に、前記端末装置から前記レポートを取得するのが好ましい。この場合、基地局装置は、接続確立処理中または接続確立処理の直後という比較的早い段階で、レポートを取得できる。
（３０）前記選択部は、前記第２無線リソースサブセットの通信品質に基づいて、又は、前記第１無線リソースサブセット及び第２無線リソースサブセットの通信品質に基づいて、選択を行うことができる。
（３１）前記選択部は、前記レポートが取得されるまでの間は、前記端末装置への送信状態として前記第１送信状態を選択するのが好ましい。この場合、前記レポートが取得される前であっても、干渉を回避できる。【００４１】
（３２）他の観点からみた本発明は、基地局装置との間で無線通信を行う端末装置であって、他の基地局装置から干渉を受ける可能性がある１又は複数の無線リソースを含んで構成される無線リソースサブセットの通信品質を測定する測定部と、前記測定部による測定結果に関するレポートを前記基地局装置に送信する送信部と、を備え、前記測定部は、前記無線リソースサブセットの通信品質の測定を、前記端末装置と前記基地局装置との接続が確立する前に行うことを特徴とする端末装置である。【００４２】
上記本発明によれば、通信品質の測定を、接続が確立する前に行うため、基地局装置は、通信品質の測定結果に関するレポートを、比較的早期に取得することが可能となる。【００４３】
（３３）前記無線リソースサブセットを前記基地局装置から取得する機能がＲＲＣレイヤの機能として設けられ、前記測定部は、ＰＨＹレイヤの機能として設けられ、前記ＰＨＹレイヤの前記測定部は、前記ＲＲＣレイヤ又は前記ＲＲＣレイヤと前記ＰＨＹレイヤとの間のレイヤで制御されるタイミングに基づいて、前記無線リソースサブセットの通信品質の測定を行うのが好ましい。この場合、ＲＲＣレイヤとＭＡＣレイヤとの間での適切な機能配分が実現される。【００４４】
（３４）前記測定部によって前記無線リソースサブセットの通信品質の測定が行われるタイミングを制御する制御部を更に備えているのが好ましい。この場合、測定のタイミング制御が可能である。【００４５】
（３５）前記制御部は、周期的に、前記測定部に対して前記無線リソースサブセットの通信品質の測定の指示を与えるのが好ましい。この場合、測定が周期的に行われる。【００４６】
（３６）前記制御部は、前記端末装置と前記基地局装置との接続を確立する接続確立処理の開始の契機となるイベントが発生すると、前記測定部に対して前記無線リソースサブセットの通信品質の測定の指示を与えるものであってもよい。この場合、イベント契機で測定が行われる。【００４７】
（３７）前記無線リソースサブセットを示すサブセット情報を、前記基地局装置から取得するサブセット情報取得部を更に備えているのが好ましい。この場合、測定すべき無線リソースサブセットを示す情報を、基地局装置から取得できる。【００４８】
（３８）前記サブセット情報取得部は、前記基地局装置から報知情報として送信された前記サブセット情報を前記基地局装置から取得するのが好ましい。この場合、端末装置と基地局装置との接続が確立していなくても、端末装置はサブセット情報を取得できる。【００４９】
（３９）前記サブセット情報取得部は、前記端末装置の位置するエリアを登録する位置登録処理中に、前記サブセット情報を前記基地局装置から取得するのが好ましい。端末装置は、位置登録処理後にアイドルモードに戻ったときに、サブセット情報を取得できていることになる。【００５０】
（４０）前記送信部は、前記端末装置と前記基地局装置との接続を確立する接続確立処理中または前記接続確立処理の直後に、前記レポートを前記基地局装置に送信するのが好ましい。この場合、基地局装置は、比較的早期にレポートを取得できる。【００５１】
（４１）前記送信部は、前記端末装置と前記基地局装置との接続の確立のために前記端末装置から前記基地局装置に送信されるメッセージに、前記レポートを含めることで、前記レポートを前記基地局装置に送信するのが好ましい。この場合、基地局装置は、接続確立処理中という早い段階で、レポートを取得できる。【００５２】
（４２）前記送信部は、前記接続確立処理中または前記接続確立処理の直後において、前記端末装置と前記基地局装置との接続の確立のために前記端末装置から前記基地局装置に送信されるメッセージとは別に、前記レポートを前記基地局装置に送信するのが好ましい。この場合、基地局装置は、接続確立処理中または接続確立処理の直後という比較的早い段階で、レポートを取得できる。【００５３】
（４３）他の観点からみた本発明は、基地局装置と、前記基地局装置との間で無線通信を行う端末装置と、を含む無線通信システムであって、前記基地局装置は、通信品質の測定結果に関するレポートを前記端末装置から取得するレポート取得部と、送信状態を選択する選択部と、を備え、前記送信状態には、他の基地局装置から干渉を受けない１又は複数の無線リソースを含んで構成される第１無線リソースサブセットを利用して送信が行われる第１送信状態、及び、他の基地局装置から干渉を受ける可能性がある１又は複数の無線リソースを含んで構成される第２無線リソースサブセットを少なくとも利用して送信が行われる第２送信状態、が少なくとも含まれ、前記レポート取得部は、前記第２無線リソースサブセットを含む１又は複数の無線リソースサブセットの通信品質の測定結果に関するレポートを、前記端末装置から取得し、前記選択部は、前記端末装置から送信された前記レポートに基づいて、前記端末装置への送信状態として前記第１送信状態及び前記第２送信状態のいずれか一方を選択し、前記端末装置は、前記第２無線リソースサブセッを含む１又は複数の前記無線リソースサブセットトの通信品質を測定する測定部と、前記測定部による測定結果に関するレポートを前記基地局装置に送信する送信部と、を備え、前記測定部は、前記通信品質の測定を、前記端末装置と前記基地局装置との接続が確立する前に行うことを特徴とする無線通信システムである。【００５４】
（４４）他の観点からみた本発明は、端末装置がダウンリンクの通信品質を測定する測定ステップと、前記端末装置が前記通信品質の測定結果に関するレポートを基地局装置に送信する送信ステップと、前記基地局装置が送信状態を選択する選択ステップと、を含み、前記送信状態には、他の基地局装置から干渉を受けない１又は複数の無線リソースを含んで構成される第１無線リソースサブセットを利用して送信が行われる第１送信状態、及び、他の基地局装置から干渉を受ける可能性がある１又は複数の無線リソースを含んで構成される第２無線リソースサブセットを少なくとも利用して送信が行われる第２送信状態が少なくとも含まれ、前記測定ステップでは、前記第２無線リソースサブセットの通信品質が測定され、前記選択ステップでは、前記端末装置から送信された前記レポートに基づいて、前記端末装置への送信状態として前記第１送信状態及び第２送信状態のいずれか一方が選択され、前記測定ステップは、前記端末装置と前記基地局装置との接続が確立する前に行われることを特徴とする方法である。【００５５】
（４５）他の観点からみた本発明は、基地局装置から端末装置への送信方法であって、前記基地局装置は、端末装置が通信品質を測定すべき１又は複数の無線リソースを含んで構成される無線リソースサブセットを示すサブセット情報を、報知情報に含めて送信することを特徴とする方法である。【００５６】
（４６）他の観点からみた本発明は、基地局装置から端末装置への送信方法であって、前記基地局装置は、端末装置が通信品質を測定すべき１又は複数の無線リソースを含んで構成される無線リソースサブセットを示すサブセット情報を、無線接続制御におけるメッセージに含めて送信することを特徴とする方法である。【００５７】
（４７）他の観点からみた本発明は、端末装置から基地局装置への送信方法であって、通信品質の測定結果のレポートを、無線接続制御におけるメッセージに含めて送信することを特徴とする方法である。
【図面の簡単な説明】
【００５８】
【図１】通信システムの構成図である。
【図２】基地局間ネットワークの構成図である。
【図３】ＤＬフレーム及びＵＬフレームの構造図である。
【図４】ＤＬフレームの構造図である。
【図５】マクロＢＳとピコＢＳとのセル間干渉を示す図である。
【図６】サブセット組み合わせのパターンの例を示す図である。
【図７】（ａ）は基地局装置（ピコＢＳ）の構成図であり、（ｂ）は端末装置の構成図である。
【図８】送信状態選択のための処理手順を示すシーケンスである。
【図９】ＡＢＳ情報の取得方法の説明図である。
【図１０】送信状態選択のためのシーケンスである。
【図１１】サブセット情報の具体例である。
【図１２】RadioResourceConfigDedicatedの具体例である。
【図１３】送信状態選択のためのシーケンスの第２例である。
【図１４】マクロセルからピコセルへのハンドオーバを示す図である。
【図１５】ハンドオーバ時の送信状態選択のためのシーケンスである。
【図１６】ハンドオーバ時の送信状態選択のためのシーケンスである。
【図１７】（ａ）は基地局装置（ピコＢＳ）の構成図であり、（ｂ）は端末装置の構成図である。
【図１８】端末装置の状態遷移図である。
【図１９】報知情報を利用したサブセット情報の通知方法を示す図である。
【図２０】端末装置の状態遷移図である。
【図２１】位置登録処理のシーケンスである。
【図２２】ＳＩＢ２の具体例である。
【図２３】端末装置のＣＱＩ測定時のシーケンスである。
【図２４】ＣＱＩ測定指示のシーケンスである。
【図２５】ＣＱＩレポート送信のシーケンスである。
【図２６】ＣＱＩレポートの具体例である。
【図２７】RRCConnectionRequestメッセージの具体例である。
【図２８】RRCConnectionSetupCompleteメッセージの具体例である。
【図２９】RRCConnectionReconfigurationCompleteメッセージの具体例である。
【図３０】ＣＱＩレポート送信のシーケンスである。
【図３１】接続確立処理の前処理のフローチャートである。
【図３２】送信状態選択のためのシーケンスである。
【発明を実施するための形態】
【００５９】
以下、本発明の好ましい実施形態について図面を参照しながら説明する。
［１．通信システムの構成］
図１は、無線通信システムの構成を示す概略図である。この通信システムは、複数の基地局装置（ＢＳ；Base Station）１を備えたセル方式のシステムである。本実施形態の無線通信システムは、例えば、ＬＴＥが適用されるシステムであり、各基地局装置１と、端末装置（ＵＥ；User Equipment）２との間において、ＬＴＥに準拠した通信が行われる。ただし、通信方式は、ＬＴＥに限られるものではない。
【００６０】
通信システムを構成する複数の基地局装置１には、例えば、数キロメートルの大きさの通信エリア（マクロセル）ＭＣを形成する複数のマクロ基地局装置（Macro Base Station）１ａのほか、マクロセルよりも小さいセルを形成する小型基地局装置１ｂ，１ｃを含めることができる。小型基地局装置としては、たとえば、ピコセルＰＣを形成するピコ基地局装置１ｂ、及び、フェムトセルＦＣを形成するフェムト基地局装置１ｃがある。
以下では、マクロ基地局装置をマクロＢＳ、ピコ基地局装置をピコＢＳ、フェムト基地局装置をフェムトＢＳというものとする。
【００６１】
ピコＢＳ１ｂは、マクロセル内に１又は複数設置される。ピコＢＳ１ｂは、マクロＢＳ１ａと同様に、主に、通信事業者によって設置される。マクロセルＭＣ内の端末装置（移動端末）２を、マクロＢＳ１ａではなく、ピコＢＳ１ｂに接続させることで、マクロＢＳ１ａの通信負荷を軽減させることができ、システム全体のスループットを向上させることができる。
【００６２】
フェムトＢＳ１ｃも、マクロセル内に１又は複数設置される。フェムトＢＳ１ｃは、主に、通信システムの顧客（ユーザ）である個人や企業などによって設置される。フェムトＢＳ１ｃを設置することで、フェムト基地局装置の設置場所における通信環境の改善などを図ることができる。
【００６３】
フェムトセルＦＣ及びピコセルＰＣは、ともに、マクロセルＭＣよりも狭い通信エリアを持つが、「フェムト」及び「ピコ」という名称が示すように、一般に、フェムトセルＦＣの方が、ピコセルＰＣよりも狭い。
なお、ＬＴＥにおいて、マクロＢＳ及びピコＢＳは、「ｅＮＢ」とよばれ、フェムトＢＳは、「ＨｅＮＢ」とよばれる。
【００６４】
図２は、マクロＢＳ１ａ、ピコＢＳ１ｂ、及びフェムトＢＳ１ｃの各基地局装置を接続する基地局間ネットワーク（有線ネットワーク）を示している。ｅＮＢであるマクロＢＳ１ａ及びピコＢＳ１ｂは、Ｓ１インターフェースとよばれる通信インターフェースによる回線６を介して、ＭＭＥ（Mobility Management Entity）と接続されている。ＭＭＥ３は、端末装置２の位置等の管理を行う管理装置であり、各端末装置２の移動管理についての処理を行うノードである。
さらに、ｅＮＢ間はＸ２インターフェースと呼ばれる通信インターフェースによる回線７によって相互に接続されており、ｅＮＢ間で直接的に情報交換のための通信が可能である。ただし、現行の標準では、フェムトＢＳ１ｃはＸ２インターフェースを持つことができない。
なお、Ｘ２インターフェースによる接続は、図２に示す接続に限られず、任意のｅＮＢ間に設けることができる。
【００６５】
ＨｅＮＢであるフェムトＢＳ１ｃは、ＨｅＮＢゲートウェイ（ＧＷ）５を介してＭＭＥ３に接続されている。ＭＭＥ３とゲートウェイ５との間、及び、ゲートウェイ５とフェムトＢＳ１ｃとの間も、それぞれＳ１インターフェースと呼ばれる通信インターフェースによる回線６によって接続されている。
なお、フェムトＢＳ１ｃは、ＨｅＮＢゲートウェイ（ＧＷ）５を介さずに、Ｓ１インターフェースによって、ＭＭＥ３と接続されていてもよい。
【００６６】
上記のＳ１インターフェース及びＸ２インターフェースによるネットワークは、各基地局装置１ａ，１ｂ，１ｃの間を有線で接続する基地局間ネットワークを構成している。この基地局間ネットワークには、通信を管理するサーバ（図示省略）などが設置される。
なお、各基地局装置１ａ，１ｂ，１ｃ間は、基地局間ネットワーク等を利用して、基地局間同期が確保されている。
【００６７】
［２．ＬＴＥのフレーム構造］
本実施形態の通信システムが準拠するＬＴＥにおいて採用可能なＦＤＤ方式においては、上り信号（端末装置から基地局装置への送信信号）と、下り信号（基地局装置から端末装置への送信信号）との間で、互いに異なる使用周波数を割り当てることで、上り通信と下り通信とを同時に行う。
【００６８】
図３は、ＬＴＥにおける上り及び下りそれぞれの無線フレームの構造を示す図である。ＬＴＥにおける下りの基本フレームである無線フレーム（ＤＬフレーム）及び上りの無線フレーム（ＵＬフレーム）は、その１無線フレーム分の時間長さがそれぞれ１０ミリ秒であり、＃０〜＃９まで１０個のサブフレーム（一定の時間長さを持つ通信単位領域）によって構成されている。これらのＤＬフレームとＵＬフレームは、そのタイミングが揃えられた状態で、時間軸方向に配置される。
【００６９】
図４は、ＤＬフレーム（基地局装置の送信フレーム）の詳細な構造を示す図である。図中、縦軸方向は周波数を示しており、横軸方向は時間を示している。
ＤＬフレームを構成するサブフレームは、それぞれ２つのスロットにより構成されている。また、１つのスロットは、７個（♯０〜♯６）のＯＦＤＭシンボルにより構成されている（Ｎｏｒｍａｌ  Ｃｙｃｌｉｃ  Ｐｒｅｆｉｘの場合）。
また、図中、データ伝送の上での基本単位領域であるリソースブロック（ＲＢ：Ｒｅｓｏｕｒｃｅ  Ｂｌｏｃｋ）は、周波数軸方向に１２サブキャリア、時間軸方向に７ＯＦＤＭシンボル（１スロット）で定められる。
また、ＤＬフレームの周波数方向の帯域幅は、最大２０ＭＨｚで複数の設定値が規定されている。
【００７０】
図４に示すように、各サブフレームの先頭には、基地局装置１が端末装置２に対し、下り通信に必要な制御チャネルを割り当てるための伝送領域が確保されている。この伝送領域は、各サブフレームにおいて先頭側に位置するスロットのシンボル♯０〜♯２（最大で３シンボル）で割り当てられている。この伝送領域には、ＰＤＣＣＨ、ＰＣＦＩＣＨ、ＰＨＩＣＨなどが割り当てられている。
【００７１】
ＤＬフレームを構成する１０個のサブフレームの内、１番目（♯０）及び６番目（♯５）のサブフレームそれぞれには、基地局装置やセルを識別するための制御信号である、第一同期信号及び第二同期信号（Ｐ−ＳＣＨ：Ｐｒｉｍａｒｙ  Ｓｙｎｃｈｒｏｎｉｚａｉｔｏｎ  Ｃｈａｎｎｅｌ，Ｓ−ＳＣＨ：Ｓｅｃｏｎｄａｒｙ  Ｓｙｎｃｈｒｏｎｉｚａｉｔｏｎ  Ｃｈａｎｎｅｌ）が割り当てられている。
【００７２】
また、ＤＬフレームにおいて、１番目のサブフレーム♯０には、ブロードキャスト送信によってシステムの帯域幅等を端末装置に通知するためのブロードキャストチャネル（ＰＢＣＨ：Ｐｈｙｓｉｃａｌ  Ｂｒｏａｄｃａｓｔ  Ｃｈａｎｎｅｌ）が割り当てられる。ＰＢＣＨは、時間軸方向において、１番目のサブフレーム♯０における後方側のスロットのシンボル♯０〜♯３の位置に４つのシンボル幅で配置され、周波数軸方向において、ＤＬフレームの帯域幅の中央の位置に６リソースブロック幅分（７２サブキャリア）で割り当てられる。この同報チャネルは、４フレームにわたって同一の情報を送信することで、４０ミリ秒ごとに更新されるように構成されている。
ＰＢＣＨには、通信帯域幅や、無線フレーム番号等を含んだマスタ情報ブロック（ＭＩＢ：Ｍａｓｔｅｒ  Ｉｎｆｏｒｍａｔｉｏｎ  Ｂｌｏｃｋ）が格納されている。
【００７３】
上述の各チャネルが割り当てられていない他のリソースブロックは、ユーザデータ等を格納するためのＤＬ共有チャネル（ＰＤＳＣＨ）として用いられる。このＰＤＳＣＨは、複数の端末装置で共有して用いられるエリアである。
ＰＤＳＣＨに格納されるユーザデータの割り当てについては、各サブフレームの先頭に割り当てられているＰＤＣＣＨに格納される、下りの無線リソース割当に関するリソース割当情報により端末装置に通知される。このリソース割当情報は、各ＰＤＳＣＨの無線リソース割当を示す情報であり、端末装置は、このリソース割当情報によって、そのサブフレーム内に自己に対するデータが格納されていることを認識できる。
Ｐ−ＳＣＨ，Ｓ−ＳＣＨ，ＰＢＣＨ、ＰＤＣＣＨその他の制御チャネルには、端末装置２がＰＤＳＣＨにて送信されるデータ信号を受信するために必要な各種の制御信号を含んでいるため、これらの制御チャネルが、電波干渉を受けると、ＰＤＳＣＨによって送信されたデータ信号の受信に支障を来たす。
【００７４】
また、ＰＤＳＣＨには、ユーザデータの他、各端末装置共通の制御信号、各端末装置個別の制御信号等も格納される。ＰＤＳＣＨに格納される制御信号としては、例えばシステム情報ブロック（ＳＩＢ：Ｓｙｓｔｅｍ  Ｉｎｆｏｒｍａｔｉｏｎ  Ｂｌｏｃｋ）などの報知情報が挙げられる。
【００７５】
システム情報ブロックとしては、ＳＩＢ１〜ＳＩＢ９がある。ＳＩＢ１が送信されるタイミング等は、ＭＩＢで指定される。ＳＩＢ２〜ＳＩＢ９のスケジューリング情報は、ＳＩＢ１に含まれている。したがって、ＳＩＢなどの報知情報は、端末装置２が基地局装置１との接続を確立してなくても、端末装置が読み取ることができる。なお、ＳＩＢの数は特に限定されるものではない。
【００７６】
［３．セル間干渉（Inter-Cell Interference）］
図１に示すように、ピコセルＰＣのセルエッジ付近に位置する端末装置２ａには、マクロＢＳ１ａからの電波（干渉波）が届き易い上、ピコＢＳ１ｂからの電波（希望波）の強度が弱くなるため、マクロＢＳ１ａからの干渉を受ける可能性がある。
なお、ピコセルＰＣのセル中央付近（ピコＢＳ１ｂ近傍）に位置する端末装置２ｂには、ピコＢＳ１ｂからの比較的強い電波が届くため、マクロＢＳ１ａからの干渉の影響は小さい。
【００７７】
ピコセルＰＣのセルエッジ付近に位置する端末装置２への、マクロＢＳ１ａからの干渉を低減するには、マクロＢＳ１ａが使用可能な無線リソースのうち、不使用となる無線リソースを確保すればよい。例えば、図５（ａ）に示すように、マクロＢＳ１ａの送信フレーム中に、マクロＢＳ１ａが通信周波数を使用しない区間（無線リソースとしての時間）を設けておけばよい。ピコＢＳ１ｂは、マクロＢＳ１ａが不使用の区間で、ピコＢＳ１ｂに接続する端末装置２ａへの送信を行えば、マクロＢＳ１ａからの干渉は無くなる。
なお、不使用となる無線リソースは、周波数であってもよい。例えば、マクロＢＳ１ａが使用可能な周波数（キャリア）のうち、不使用とする周波数（ブランクキャリア）を確保してもよい。ピコＢＳ１ｂは、マクロＢＳ１ａが不使用の周波数（ブランクキャリア）で、ピコＢＳ１ｂに接続する端末装置２ａへの送信を行えば、マクロＢＳ１ａからの干渉は無くなる。
以下の説明では、無線リソースの例としてサブフレームを挙げて説明するが、以下の説明は、無線リソースが周波数（キャリア）である場合にも適用される。
【００７８】
図５（ｂ）は、マクロＢＳ１ａが通信周波数を使用しない区間を設ける具体例として、マクロＢＳ１ａの送信フレーム中に、ＡＢＳ（Almost Blank Subframe）を設けたものを示している。ＡＢＳは、参照信号（ＣＲＳ；Cell-speciffic Reference Signal）及び／又はその他必要とされる最低限の制御信号を含むものの、データ信号（ＰＤＳＣＨ）は含まないブランクサブフレームである。
図５（ｃ）に示すように、マクロＢＳ１ａのＡＢＳに対応するタイミングのピコＢＳ１ｂのサブフレームは、マクロＢＳ１ａからの干渉を受けないサブフレームとなる。したがって、ピコＢＳ１ｂは、マクロＢＳ１ａのＡＢＳに対応するタイミングのサブフレームで送信を行うことで、マクロＢＳ１ａからピコＢＳ１ｂに接続する端末装置２ａへの干渉を回避できる。
【００７９】
したがって、ピコＢＳ１ｂは、ピコセルのセルエッジ付近に位置する端末装置２ａに対しては、マクロＢＳ１ａのＡＢＳに対応するタイミングのサブフレームを多く含むサブフレームサブセットで送信することで、マクロＢＳ１ａからの干渉の影響を低減できる。
【００８０】
図６は、一つの無線送信フレームを、２つのサブセットＡ，Ｂで構成したパターンの例を示している。サブセットは、要素をサブフレームとするサブフレームサブセットである。一つの無線送信フレームを構成する各サブフレーム（＃０〜＃９）は、２つのサブセットＡ，Ｂのいずれか（又は両方）に属する。
【００８１】
パターン１では、サブフレーム＃２、＃５、＃８が、第１サブフレームサブセットＡに属し、＃０，＃１，＃３，＃４，＃６，＃７，＃９が第２サブフレームサブセットに属する。マクロセル側のＡＢＳが、＃２，＃５，＃８に設けられている場合、ピコＢＳ１ｂは、第１サブフレームサブセットＡに属するサブフレーム＃２，＃５，＃８を利用して送信を行うことで、端末装置２ａがセルエッジ付近に位置していても、マクロセルからの干渉を回避できる。
一方、ピコＢＳ１ｂに接続した端末装置２ｂが、ピコセル中央付近（ピコＢＳ１ｂの近傍）に位置している場合には、第２サブフレームサブセットＢに属するサブフレーム＃０，＃１，＃３，＃４，＃６，＃７，＃９又は、フレーム全体（＃０〜＃９すべて）を利用して送信しても、マクロセル側からの干渉が少ない。
【００８２】
このように、マクロセル側のＡＢＳのパターンが、図６に示すようになっている場合、第１サブフレームサブセットＡは、セルエッジ付近の端末装置２ａへの送信に適しており、第２サブフレームサブセットＢ又はフレーム全体は、ピコセル中央付近の端末装置２ｂへの送信に適している。
したがって、ピコＢＳ１ｂは、端末装置２ｂの位置（セルエッジ付近か、セル中央付近か）に応じて、当該端末２ｂへの送信に用いるサブフレームを決定することで、干渉を低減することができる。
【００８３】
なお、図６では、マクロセルのサブフレーム番号（＃０〜＃９）とピコセルのサブフレーム番号（＃０〜＃９）と時間的に揃っているが、フレーム番号が揃っていなくてもよい。また、図６では、サブセットＡ，Ｂを一つのフレームに含まれる１０個のサブフレームだけでパターンを定義しているが、複数のフレーム（例えば、４フレーム分の４０個のサブフレーム）で定義してもよい。
【００８４】
一つの無線送信フレーム構成する２つのサブセットＡ，Ｂの例は、パターン１に限られず、図６に示すように、パターン２〜パターン４のように複数個設けることができる。
パターンを複数設けることで、近隣のマクロセル側のＡＢＳパターン（フレーム中のＡＢＳの位置）に応じて、適切なパターンを適宜選択することができる。
【００８５】
図６のパターン１〜４に示すように、各サブセットＡ，Ｂを構成するサブフレームの数は、特に限定されない。また、パターン４のように、２つのサブセットＡ，Ｂの双方に属するサブフレームがあってもよい（パターン４のサブフレーム＃８参照）。
さらに、サブセットは、２つに限定されるものではなく、３以上であってもよい。
【００８６】
なお、図６のマクロセルのＡＢＳパターンの場合、図６のパターン１〜４において、サブセットＡは、マクロセルのＡＢＳ（＃２，＃５，＃８）に対応するサブフレームが含まれている割合が、サブセットＢよりも多い。つまり、サブセットＡは、マクロＢＳ１ａから干渉を受けない１又は複数のサブセットを含んで構成されている第１サブフレームサブセットである。
また、図６のマクロセルのＡＢＳパターンの場合、図６のパターン１〜４において、サブセットＢは、マクロＢＳ１ａから干渉を受ける可能性があるサブセット（＃０，＃１，＃３，＃４，＃６，＃７，＃９）のうちのいずれかを、１又は複数個含んで構成された第２サブフレームサブセットである。
【００８７】
ブランクサブフレームとしては、ＡＢＳ以外に、ＭＢＭＳ（Multimedia Broadcast Multicast Service）用のサブフレーム（ＭＢＳＦＮ）を用いてもよい。ＭＢＭＳは、ＴＶ放送サービス等のブロードキャストサービスであり、複数の基地局装置から同じ情報を同じリソースを用いて同じタイミングで送信される。
ＭＢＭＳは、ブロードキャストサービスであるため、ＭＢＭＳに用いられるＭＢＳＦＮサブフレームでは、ＭＢＭＳに係る情報の他、当該サブフレームがＭＢＳＦＮサブフレームである旨等の必要最小限の制御情報が制御チャネル（サブフレーム先頭側の２シンボル）を用いて送信され、特定の端末装置に向けた制御情報は送信されない。
【００８８】
本実施形態では、ＭＢＳＦＮを、ブランクとするため、マクロＢＳ１ａが送信するＭＢＳＦＮ中のデータ信号としてヌル信号が設定される。ヌル信号を送信するＭＢＳＦＮは、参照信号を含む必要がないため、ＡＢＳよりも、より完全なブランクサブフレームに近いものとなる。
このように、ブランクサブフレーム（通信周波数の不使用区間）は、信号が全く存在しないものである必要はなく、実質的に信号のブランクが存在するものであれば足りる。
また、ブランクサブフレームは、実際には使用されていても、信号の電力が小さく抑えられており、基地局装置から十分に離れると実質的に使用されていないものとみなせるものであってもよい。
【００８９】
［４．基地局装置及び端末装置の構成］
図７（ａ）は、ピコＢＳ１ｂの構成を示し、図７（ｂ）は端末装置２の構成を示している。なお、図７（ａ）の構成は、フェムトＢＳ１ｃが有していても良い。
【００９０】
ピコＢＳ１ｂは、ＡＢＳ情報取得部１１、パターン選択部１２、サブセット情報通知部１３、ＣＱＩレポート取得部１４、及び選択部１５を備えている。
ＡＢＳ情報取得部１１は、マクロＢＳ１ａ（他の基地局装置）から、マクロＢＳ１ａ（他の基地局装置）が送信する送信フレーム中におけるＡＢＳ（ブランクサブフレーム）の位置を示す情報（ＡＢＳ情報）を取得するためのものである。
【００９１】
パターン選択部１２は、２つのサブセットＡ，Ｂの組み合わせを示すパターンを選択する。サブセット情報通知部１３は、パターン選択部１２によって選択されたパターンにおけるサブフレームサブセットＡ，Ｂの情報（サブセット情報）を端末装置２に通知する。
サブセット情報は、少なくとも、第２サブフレームサブセットＢを構成するサブフレームを端末装置２が特定することができる情報である。サブセット情報には、第１サブフレームサブセットＡを構成するサブフレームを、端末装置２が特定することができる情報を含んでいても良い。
【００９２】
ＣＱＩレポート取得部１４は、ＣＱＩ（Channel Quality Indicator）レポートを、端末装置（ＵＥ）２から取得する。
ＣＱＩレポートは、端末装置２が、第２サブフレームサブセットＢを構成するサブセットについて測定した通信品質の測定結果に関するものである。また、ＣＱＩレポートには、第１サブフレームサブセットＡを構成するサブセットについて測定した通信品質の測定結果に関するものを含んでいてもよい。
【００９３】
状態選択部１５は、ＣＱＩレポート取得部が取得したＣＱＩレポートに基づいて、送信状態を選択する。
送信状態には、第１送信状態と第２送信状態とがある。選択部１５は、第１送信状態及び第２送信状態のいずれか一方を選択する。ピコＢＳ１ｂは、選択された送信状態で送信を行う。なお、送信状態としては、第１送信状態及び第２送信状態以外の他の送信状態があってもよい。
【００９４】
第１送信状態では、マクロＢＳ１ａから干渉を受けない１又は複数のサブフレームを含んで構成されている第１サブフレームサブセットＡを利用して送信が行われる。
第２送信状態では、マクロＢＳ１ａから干渉を受ける可能性があるサブフレームを含んで構成されている第２サブフレームサブセットＢだけ、又は第１サブフレームサブセットＡ及び第２サブフレームサブセットＢの双方、を利用して送信が行われる。
【００９５】
端末装置２が測定した第２サブフレームサブセットＢのＣＱＩが良くない場合、マクロセルからの干渉が多く、ＣＱＩを測定した端末装置２は、ピコセルＰＣのセルエッジ付近に位置していると、判断できる。したがって、状態選択部１５は、第１送信状態を選択する。
一方、端末装置２が測定した第２サブフレームサブセットＢのＣＱＩ（通信品質；チャネル品質）が良好な場合、マクロセルからの干渉が少なく、ＣＱＩを測定した端末装置２は、ピコセルＰＣの中央付近に位置していると、判断できる。したがって、状態選択部１５は、第２送信状態を選択する。
なお、第２サブフレームサブセットＢのＣＱＩが良好か否かの判断は、ＣＱＩが良好か否かを示す閾値との比較によって行うことができる。
【００９６】
また、第１サブフレームサブセットＡのＣＱＩ測定結果も得られている場合には、両サブセットＡ，ＢのＣＱＩを比較してもよい。状態選択部１５は、ＣＱＩが良い方のサブセットを利用する状態を選択することができる。
【００９７】
また、状態選択部１５は、両サブセットＡ，ＢのＣＱＩの差分が所定値以上の場合、ＣＱＩが良い方のサブセットだけを利用する状態を選択し、前記差分が所定値未満の場合は、ＣＱＩが悪い方のサブセットだけを利用する状態を選択してもよい。これは、両サブセットＡ，ＢのＣＱＩの差分が小さい場合には、端末装置２は、ピコＢＳ１ｂの中心にいると判断できる。そして、セルエッジ付近の端末装置２が使用するサブセットは、使用したい端末装置２が多く混雑することが予想される。そこで、前記差分が所定値未満の場合は、ＣＱＩが悪い方のサブセットだけを利用することで、混雑を避けることができる。
【００９８】
また、状態選択部１５は、ＣＱＩが所定値以下であるサブセット送信に使用しないようにし、ＣＱＩが所定値以上のＡＢＳサブセットだけを使用するように、状態選択を行っても良い。この場合、複数のサブセットのＣＱＩがいずれも所定値以上であれば、同時に複数のサブセットを使用してもよい。
【００９９】
端末装置２は、サブセット情報取得部２１、ＣＱＩ測定部２２、及びＣＱＩレポート送信部２４を備えている。
サブセット情報取得部２１は、端末装置２が接続した基地局装置(ピコＰＢＳ１ｂ)から、サブセット情報を取得する。
ＣＱＩ測定部２２は、サブセット情報取得部２１が取得したサブセット情報に基づき、第２サブフレームサブセットＢを構成するサブフレームのＣＱＩを測定する。ＣＱＩ測定部２２は、第１サブフレームサブセットＡを構成するサブフレームのＣＱＩ、又は、フレーム全体のＣＱＩを測定することもできる。
【０１００】
ＣＱＩレポート送信部２４には、ＣＱＩ測定部２２が測定した測定結果に関するレポート（ＣＱＩレポート）を、基地局装置（ピコＢＳ１ｂ）に対して送信する。ＣＱＩレポートには、第２サブフレームサブセットＢの測定結果、第１サブフレームサブセットＡの測定結果、及び／又は、フレーム全体の測定結果が含まれる。
【０１０１】
［５．干渉回避のための送信状態選択処理の基本的な考え方］
図８は、ピコＢＳ１ｂが、マクロセルからの干渉を回避するための適切な送信状態を選択するための処理手順を示している。
まず、ピコＢＳ１ｂのＡＢＳ情報取得部１１は、マクロＢＳのＡＢＳ情報を取得する（ステップＳ１−１）。図９に示すように、ＡＢＳ情報の取得は、マクロＢＳ１ａから、基地局間ネットワークを介して行うことができる。また、ピコＢＳ１ｂは、無線通信によって、マクロＢＳ１ａからＡＢＳ情報を取得しても良いし、マクロＢＳ１ａに接続した端末装置（ＭＵＥ）２から、無線通信によって、ＡＢＳ情報を取得してもよい。
【０１０２】
続いて、パターン選択部１２は、取得したＡＢＳ情報に基づいて、２つのサブフレームサブセットＡ，Ｂを決定する（パターン選択；ステップＳ１−２）。第１サブフレームサブセットＡには、主に、マクロセルのＡＢＳに対応するタイミングの１又は複数のサブフレームが含まれ、第２サブフレームサブセットＢには、主に、マクロセルのＡＢＳに対応するタイミング以外の１又は複数のサブフレームが含まれるように決定される。
【０１０３】
サブセット情報通知部１３は、パターン選択部１２によって決定された第１及び第２サブフレームサブセットＡ，Ｂを示すサブセット情報を、ピコセルＰＣ内の端末装置（ピコＵＥ）２へ送信する（ステップＳ１−３）。
端末装置(ピコＵＥ)２のサブセット情報取得部２１は、ピコＢＳ１ｂから通知されたサブセット情報を取得する（ステップＳ１−４）。
ＣＱＩ測定部２２は、第２サブフレームサブセットＢを構成するサブフレームにおいてＣＱＩの測定を行う（ステップＳ１−５）。ＣＱＩの測定は、第２サブフレームサブセットを構成する各サブフレームについて行われ、各サブフレームについての測定結果の平均値が、第２サブフレームサブセットのＣＱＩとなる。
【０１０４】
ＣＱＩレポート送信部２４は、第２サブフレームサブセットＢのＣＱＩ測定結果を、ＣＱＩレポートとして、ピコＢＳ１ｂに無線送信する（ステップＳ１−６）。
ピコＢＳ１ｂのＣＱＩレポート取得部１４は、端末装置２が送信したＣＱＩレポートを受信する（ステップＳ１−７）。
そして、状態選択部１５は、取得したＣＱＩレポートに基づいて、第１送信状態及び第２送信状態のうち、適切な送信状態を選択し、ピコＢＳ１ｂは、ＣＱＩレポートを送信してきた端末装置２に対して、選択した送信状態での送信を行う。
【０１０５】
［６．送信状態選択処理の具体的な手順］
［６．１  第１例］
図８に示す処理手順に従うと、ピコＢＳ１ｂが、適切な送信状態を選択できるのは、ピコＢＳ１ｂと端末装置２との間で、サブセット情報の通知等のための通信がなされた後である。つまり、ピコＢＳ１ｂが、ＣＱＩレポートを取得し（ステップＳ１−７）、適切な送信状態の選択（Ｓ１−８）が行われる前においても、ピコＢＳ１ｂから端末装置２への送信が行われる。
【０１０６】
本実施形態では、ＣＱＩレポート取得前の送信を適正化するため、図１０に示すように、ＣＱＩレポート取得前は、第１サブフレームサブセットＡを利用する第１送信状態で送信する。
【０１０７】
図１０に示すように、RACH Procedure、RRC connection setupなど、ピコＢＳ１ｂから端末装置２への送信は、第１サブフレームサブセットＡだけを利用する第１送信状態で行われる。
RACH Procedureは、アップリンクのタイミング同期、ＰＨＹレイヤの通信に必要なユーザＩＤ（Ｃ−ＲＮＴＩ）の決定・通知を行うものである。また、RRC connection setupは、端末装置と基地局装置との間の通信チャネル（Radio Bear）の可否、チャネルのコンフィグ情報を通知するものである。
また、本実施形態において、RRC Connection Setupは、ＣＱＩレポートに関するコンフィグ情報（ＴＳ３６．３３１CQI-ReportConfig）を含んでおり、端末装置２は、コンフィグ情報の取得以降、ＣＱＩレポートを、基地局装置に対して送信可能である。
なお、RRC Connection requestは、端末装置と基地局装置側で通信ができるようにRRCレイヤの接続の確立を要求するものであり、無線接続制御に関するメッセージである。
【０１０８】
図１０は、端末装置２のＣＱＩ測定部２２によるＣＱＩの測定は、接続（RRC Connection）確立処理（無線接続制御）の後に行われる（ステップＳ２−１）。ピコＢＳ１ｂの状態選択部１５は、端末装置２からＣＱＩレポートを取得した後、第１送信状態又は第２送信状態の選択をする（ステップＳ２−２）。なお、図１０のＳ２−２では、選択部１５による選択を、第２サブフレームサブセットＢの使用の可否（第２送信状態の可否）の判断として示した。
【０１０９】
選択部１５は、ＣＱＩレポートを取得すると、取得したＣＱＩレポートに基づいて、第２サブフレームサブセットＢを使用してよいと判断した場合、第２送信状態を選択する。つまり、端末装置２は、第２サブフレームサブセットＢだけを使用して通信するか、第１及び第２サブフレームサブセットＡ，Ｂを併用して通信する。
一方、状態選択部１５は、第２サブフレームサブセットＢを使用不可と判断した場合、第１送信状態を選択する。
【０１１０】
前述のように、状態選択部１５がＣＱＩレポートに基づく選択をする以前においては、状態選択部１５は、ＣＱＩレポートを取得するまでは、第１送信状態を自動選択する。したがって、接続確立処理中、及び、接続が確立してからＣＱＩレポートを取得するまでは、第１サブフレームサブセットＡだけを使用した送信が行われる。
【０１１１】
これは、次の理由によるものである。すなわち、端末装置２が、基地局装置との接続を確立しようとする際において、基地局装置はＣＱＩレポートを取得するまで、端末装置２の位置を認識できない。端末装置２の位置を認識できない間は、より干渉を受け易いセルエッジ付近に端末装置２が位置するとみなすのが好適である。
そこで、ピコＢＳ１ｂの状態選択部１５は、ＣＱＩレポート取得するまでの間は、ＣＱＩレポートに基づくことなく、端末装置２がセルエッジ付近に位置しているとみなして、セルエッジ付近用の第１サブフレームサブセットＡを使用する第１送信状態を選択する。
【０１１２】
また、図１０に示したように、サブセット情報通知部１３は、サブセット情報を、端末装置２とピコＢＳ１ｂの接続確立処理のためにピコＢＳ１ｂから端末装置２へ送信されるメッセージ（RRC Connection Setupなどの無線接続制御におけるメッセージ）に含めて送信する。これにより、端末装置２のサブセット情報取得部２１は、接続確立処理中における前記メッセージの受信に伴って、サブセット情報を取得でき、端末装置２によるＣＱＩ測定を、比較的早期に行うことができる。
【０１１３】
このように、本実施形態では、ピコＢＳ１ｂから端末装置２へのサブセット情報の通知には、ピコＢＳ１ｂ及び端末装置２のＲＲＣレイヤの伝送（Signaling）で、情報の受け渡しを行う。
【０１１４】
図１１は、サブセット情報を示すＩＥ（Information Element）の具体例を示した。図１１では、サブフレームサブセットを”ABS Subset”という名前で表現している。
図１１の”ABS Subset Information Element”の部分は、”absSubset”というＩＥを定義している。”absSubset”では、複数（図１１では１５個;patern1〜patarn15）のサブフレームサブセットのパターンのうちのいずれか一つのパターンが指定される。ここでのパターンは、図６のパターン（サブセットの組み合わせ）とは異なり、一つのサブフレームサブセットを構成するサブフレームの異なるパターンを示すものである。つまり、図１１のパターンによって、一つのサブフレームサブセットを構成するサブフレームが特定される。なお、”absSubset”は、サブフレームサブセットを構成するサブフレームを、ビットマップなどによって指定するものであってもよい。
【０１１５】
図１１の”ABS Subset List Information Element”の部分は”ABSSubsetList-v10x0”というＩＥを定義している。”ABSSubsetList-v10x0”では、第１サブフレームサブセットＡ及び第２サブフレームサブセットＢの組み合わせが指定される。ここでは、例えば、第１サブフレームＡとなる”absSubset”が、”ABSsusetPrimary”という名前で指定され、第２サブフレームサブセットＢとなる”absSubset”が、”ABSsusetSecondary”という名前で指定される。
【０１１６】
サブセット情報は、RRC Connection Setupのほか、RRC Connection Reconfigurationなど、基地局装置から端末装置へ送信される他のメッセージに含めて送信することもできる。
無線接続制御におけるメッセージであるRRC Connection Setup又はRRC Connection Reconfigurationは、共通のＩＥとして、”radioResourceConfigDedicated”を有している。”radioResourceConfigDedicated”は、無線に関する設定情報を定義するものである。サブセット情報（”ABSSubsetList-v10x0”）を、RRC Connection Setup又はRRC Connection Reconfigurationに含める場合、例えば、図１２に示すように、”radioResourceConfigDedicated”に、図１１に示すサブセット情報（”ABSSubsetList-v10x0”）を格納することができる。
なお、サブセット情報の追加は、オプションであり、サブセット情報を通知する必要がない場合には、メッセージ中にサブセット情報は含まれない。
【０１１７】
以上のように、本実施形態によれば、基地局装置が、ＣＱＩレポートを取得する前であっても、適切な送信状態が選択される。しかも、ＣＱＩを測定すべきサブフレームサブセットを示す情報が早期に端末装置へ通知される。
【０１１８】
［６．２  第２例］
図１０では、サブセット情報は、接続確立処理中に送信されるRRC connection Setupのメッセージに含めて送信されるのに対し、図１３に示す第２例では、サブセット情報は、報知情報（Ｂｒｏａｄｃａｓｔ  Ｉｎｆｏｒｍａｔｉｏｎ）として送信されるシステム情報(ＳＩＢ)に含めて送信される。
【０１１９】
サブセット情報が報知情報として送信されるため、端末装置２は、接続確立処理を行う前（端末装置がアイドル状態にある場合）であっても、サブセット情報を取得することができる。
【０１２０】
接続確立処理を開始する場合、ピコＢＳ１ｂは、図１０に示す手順と同様に、ＣＱＩレポートを取得するまでは、第１サブフレームサブセットＡを利用する第１送信状態で送信する。つまり、RACH Procedureは、第１サブフレームサブセットＡだけを利用する第１送信状態で行われる。
【０１２１】
ただし、端末装置２は、接続確立処理の前にサブセット情報を取得しているため、RACH Procedureによって、ピコＢＳ１ｂとの間で同期がとれると、ＣＱＩ測定部２２によるＣＱＩの測定を直ちに行うことができる（ステップＳ３−１）。
したがって、ピコＢＳ１ｂの状態選択部１５は、接続確立処理の比較的早い段階で、端末装置２からＣＱＩレポートを取得し、第１送信状態又は第２送信状態の選択をすることができる（ステップＳ３−２）。
つまり、図１３に示す手順では、図１０に示す手順よりも、比較的早期に送信状態の選択が行える。
【０１２２】
［６．３  第３例］
図１４〜図１６は、端末装置２へのサブセット情報の通知を、ハンドオーバ処理中に行う例を示している。
端末装置２が、マクロＢＳ１ａと通信を開始して（ステップＳ４−１）、通信中になっている際に（ステップＳ４−２）、図１４に示すように端末装置２がピコＢＳ１ｂのエリアＰＣ内に移動すると（ステップＳ４−３）、マクロＢＳ１ａでは、当該端末装置２についてマクロＢＳ１ａからピコＢＳ１ｂへのハンドオーバの要否の判断を行う（ステップＳ４−４）。
【０１２３】
ハンドオーバの要否の判断の結果、ハンドオーバが必要であると判断されると、図１６に示すハンドオーバ処理が行われる。
また、ハンドオーバ処理に先立って、ピコＰＳ１ｂでは、マクロＢＳ１ａのＡＢＳ情報の取得が行われている（ステップＳ４−５）。ステップＳ４−５は、図８のステップＳ１−１と同様の処理であり、ＡＢＳ情報の取得方法は、図９に示す様々な方法が採用できる。
【０１２４】
図１６に示すように、ハンドオーバのために、マクロＢＳ１ａは、ピコＢＳ１ｂに対して、ハンドオーバ要求（Handover Request）を送信すると、ピコＢＳ１ｂは、ハンドオーバ要求に対する応答（Handover Request Acknowledge）を、マクロＢＳ１ａに返す。
第３例において、ピコＢＳ１ｂの通知部１３は、サブセット情報を、ハンドオーバ要求に対する応答（Handover Request Acknowledge）に含めて、マクロＢＳ１ａに通知する。
【０１２５】
サブセット情報を受け取ったマクロＢＳ１ａは、ハンドオーバ処理中のメッセージの一つであるRRC Connection Reconfiguration（ハンドオーバ命令）を、端末装置２に対して通知する。RRC Connection Reconfigurationには、マクロＢＳ１ａが受け取ったサブセット情報が含められている。
【０１２６】
したがって、RRC Connection Reconfiguration（ハンドオーバ命令）を受け取った端末装置２は、サブセット情報を得ることができる。
このように、第３例では、サブセット情報が、ピコＢＳ１ｂから、マクロＢＳ１ａを介して、端末装置２へ通知される。しかも、ハンドオーバ処理中は、端末装置２は、ターゲット基地局装置であるピコＢＳ１ｂだけでなく、ソース基地局装置であるマクロＢＳ１ａとも通信可能であるから、サブセット情報を、ピコＢＳ１ｂから、マクロＢＳ１ａを介して、端末装置２へ通知するのに適している。
【０１２７】
第３例では、第２例と同様に、RACH Procedureが行われる前に、サブセット情報が得られていることになる。
そして、ピコＢＳ１ｂは、ＣＱＩレポートを取得するまでは、第１サブフレームサブセットＡを利用する第１送信状態で送信する。しかし、第２例のように、事前にサブセット情報を取得しているため、RACH Procedureによって、ピコＢＳ１ｂとの間で同期がとれると、ＣＱＩ測定部２２によるＣＱＩの測定を直ちに行うことができる（ステップＳ５−１）。
したがって、ピコＢＳ１ｂの状態選択部１５は、ハンドオーバ処理完了前の比較的早い段階で、端末装置２からＣＱＩレポートを取得し、第１送信状態又は第２送信状態の選択をすることができる（ステップＳ５−２）。
【０１２８】
［６．４  第４例］
図１７は、第４例におけるピコＢＳ１ｂ及び端末装置２の構成を示している。図１７に示すピコＢＳ１ｂの構成は、図７に示すピコＢＳ１の構成と共通している。図１７に示す端末装置２は、図７に示す端末装置２にタイミング制御部２３を追加したものである。
タイミング制御部２３ｂは、ＣＱＩ測定部２２にＣＱＩの測定を実行させるタイミングを制御する。
【０１２９】
［６．４．１  アイドルモード（Idle Mode）でのＣＱＩ事前測定］
第４例では、図１８に示すように、本実施形態の端末装置２は、ピコセルＰＣ内に位置しているが、ピコＢＳ１ｂとの接続を確立していない状態であるアイドルモードにおいて、予め、ＣＱＩを測定しておく。そして、端末装置２は、アイドルモードから、ピコＢＳ１ｂとの接続確立モード（Connected Mode）に遷移する際に、ピコＢＳ１ｂに対してＣＱＩレポートを送信する。これにより、ピコＢＳ１ｂは、早期に、適切な送信状態を選択することができる。
【０１３０】
［６．４．１．１  サブセット情報の事前通知］
本実施形態において、ピコＢＳ１ｂから端末装置２へのサブセット情報の通知には、ピコＢＳ１ｂ及び端末装置２のＲＲＣレイヤの伝送（Signalling）で、情報の受け渡しを行う。
図１９に示すように、ピコＢＳ１ｂとの接続（RRC Connection）が確立していないアイドル状態の端末装置２に、ピコＢＳ１ｂから送信されたサブセット情報を事前取得させるため、ピコＢＳ１ｂのサブセット情報通知部１３は、サブセット情報を、報知情報（システム情報；ＳＩＢ）に含めて送信する（ステップＳ６−１）。基地局装置との接続が確立していなくても、ピコセルＰＣ内に位置する端末装置２は、報知情報であるシステム情報を読み取ることができる。
したがって、端末装置２のサブセット情報取得部２１は、端末装置２がアイドルモードであっても、ピコＢＳ１ｂからの報知情報を受信することで、当該報知情報に含まれるサブセット情報を事前取得できる（ステップＳ６−２）。また、サブセット情報が、報知情報として送信されるため、セルＰＣ内の全ての端末装置２に対して、共通のサブセット情報を同時に通知することができる。
【０１３１】
サブセット情報を、端末装置２に事前に取得させる他の方法として、端末装置２の位置登録処理を利用する方法もある。
位置登録処理とは、端末装置２が位置するエリア（セル）を基地局間ネットワークの管理装置（ＭＭＥ）に登録するための処理である。位置登録処理の際には、端末装置２と基地局装置１との間で一時的に接続（RRC Connection）を確立して接続確立モードとなる処理が行われる。なお、位置登録処理が終了すると、端末装置２は、接続確立モードからアイドルモードに戻り、端末装置２と基地局装置１との間の無線リンクは切断される。
【０１３２】
位置登録処理を利用して、サブセット情報を端末装置２に事前取得させる場合、位置登録処理を開始するために、端末装置２がアイドルモード(Idle Mode)から接続確立モード（Connected Mode）に遷移する際（図２０の（１）の遷移）、位置登録処理のために接続確立モードになっている間、又は、位置登録処理の終了のために接続確立モードからアイドルモードに遷移する際（図２０の（２）の遷移）において、サブセット情報を、ピコＢＳ１ｂから端末装置２に送信すればよい。
そうすれば、端末装置２は、その後、通信のために、ピコＢＳ１ｂとの接続を確立する前のアイドルモードにおいて、サブセット情報を既に取得できていることになる。
【０１３３】
図２１は、位置登録処理のために、端末装置（ピコＵＥ）２、ピコＢＳ１ｂ、ＭＭＥ３との間でやり取りされるメッセージを示している。
端末装置２へ通知されるサブセット情報は、図２１において、ピコＢＳ１ｂから端末装置２へ送信されるメッセージ、例えば、RRC Connection Setup又はRRC Connection Reconfigurationなどの無線接続制御におけるメッセージ、に含めて送信される。
【０１３４】
図２２は、システム情報（ＳＩＢ２）を、図１１に示すように定義されたサブセット情報（”ABSSubsetList-v10x0”）を含めて定義した具体例を示している。図２２において、下線で示した部分が、ＳＩＢ２におけるサブセット情報の部分である。ピコＢＳ１ｂのサブセット情報通知部１３は、図２２に示すようなＳＩＢ２を生成し、それを報知情報として送信する。これにより、ピコＢＳ１ｂは、第１及び第２サブフレームサブセットＡ，Ｂを示すサブセット情報を報知情報として送信できる。
なお、図２２に示すシステム情報（報知情報）は、第２例のようにサブセット情報をシステム情報（報知情報）に含めて送信する場合にも使用できる。
【０１３５】
また、端末装置２のサブセット情報取得部２１は、ＳＩＢ２を受信し、ＳＩＢ２に含まれるサブセット情報を取り出すことで、サブセット情報を取得できる。
なお、サブセット情報を含める報知情報は、ＳＩＢ２に限定されるものではない。例えば、サブセット情報取得部２１を、ＳＩＢ２以外の他のＳＩＢに格納させてもよい。また、サブセット情報の追加は、オプションであり、サブセット情報を通知する必要がない場合には、ＳＩＢ２中にサブセット情報は含まれない。
【０１３６】
サブセット情報（”ABSSubsetList-v10x0”）を、RRC Connection Setup又はRRC Connection Reconfigurationに含める場合、例えば、図１２に示すように、”radioResourceConfigDedicated”に、図１１に示すように定義されたサブセット情報（”ABSSubsetList-v10x0”）を格納することができる。
なお、サブセット情報の追加は、オプションであり、サブセット情報を通知する必要がない場合には、メッセージ中にサブセット情報は含まれない。
【０１３７】
［６．４．１．２  ＣＱＩの事前測定］
端末装置（移動端末）２は、アイドルモードにおいても移動することがあるから、アイドルモードの端末装置２のピコセルＰＣでの位置（セルエッジ付近又はセル中央付近）をピコＢＳ１ｂが認識することはできない。
そこで、アイドルモードの端末装置２のＣＱＩ測定部２２は、報知情報から入手、又は、位置登録処理のための接続確立処理手順（無線接続制御）で入手したサブセット情報に基づいて、ＣＱＩの測定を事前に行っておく。ＣＱＩの測定をアイドルモード中に予め行っておくことで、端末装置２は、ピコＢＳ１ｂとの接続を確立する際又はその後において、速やかに、ＣＱＩレポートをピコＢＳ１ｂに送信することができる。この結果、ピコＢＳ１ｂは、端末装置２の位置を早い段階で認識することが可能となる。
【０１３８】
図２３は、ＣＱＩ測定の管理・測定手順を示している。図２３（ａ）は、端末装置２のサブセット情報取得部２１及びタイミング制御部２３をＲＲＣ（無線リソース制御）レイヤの機能として設け、ＣＱＩ測定部２２をＰＨＹレイヤの機能として設けた場合の処理手順を示している。また、図２３（ａ）では、ＲＲＣレイヤとＰＨＹレイヤとの中間レイヤであるＭＡＣレイヤに、ＣＱＩ測定処理のスケジューリング機能を設けた。
【０１３９】
図２３（ａ）に示す第１の手順では、ＲＲＣレイヤのサブセット情報取得部２１が、サブセット情報を、ピコＢＳ１ｂから取得する。ＲＲＣレイヤでは、取得したサブセット情報を保存・管理する（ステップＳ７−１）。ただし、ＭＡＣレイヤ及びＰＨＹレイヤは、サブセット情報の管理はしない。
ＲＲＣレイヤのタイミング制御部２３は、ＣＱＩ測定のタイミングを制御し、ＣＱＩを測定すべきタイミングとなったら、ＣＱＩ測定指示を、ＭＡＣレイヤに通知する。ＣＱＩ測定指示には、ＣＱＩを測定すべき、サブフレームサブセットを示す情報が含まれる。
【０１４０】
ＭＡＣレイヤでは、ＲＲＣレイヤのＣＱＩ測定指示に従った測定処理のスケジューリングを行い（ステップＳ７−２）、ＰＨＹレイヤにＣＱＩ測定指示を通知する。
ＣＱＩ測定指示を受けたＰＨＹレイヤのＣＱＩ測定部２２は、当該指示に従って、測定すべきサブフレームサブセットのＣＱＩ測定を行う（ステップＳ７−３）。ＣＱＩレポート送信部２４がＲＲＣレイヤに設けられる場合には、ＣＱＩ測定結果は、ＰＨＹレイヤからＭＡＣレイヤに通知され、さらに、ＭＡＣレイヤからＲＲＣレイヤのＣＱＩレポート送信部２４に通知される。
【０１４１】
図２３（ｂ）は、端末装置２のサブセット情報取得部２１をＲＲＣレイヤの機能として設け、タイミング制御部２３及びサブセット情報を保存管理する機能を、ＭＡＣレイヤの機能として設け、ＣＱＩ測定部２２をＰＨＹレイヤの機能として設けた場合の処理手順を示している。
【０１４２】
図２３（ｂ）に示す第２の手順では、ＲＲＣレイヤのサブセット情報取得部２１は、サブセット情報を、ピコＢＳ１ｂから取得すると、取得したサブセット情報をＣＱＩ測定指示として、ＭＡＣレイヤに通知する。ＣＱＩ測定指示を受けたＭＡＣレイヤは、サブセット情報の保存・管理を行う（ステップＳ８−１）。
ＭＡＣレイヤのタイミング制御部２３は、自らＣＱＩ測定のタイミングを制御するスケジューリングを行い（ステップＳ８−２）、ＣＱＩを測定すべきタイミングとなったら、ＰＨＹレイヤのＣＱＩ測定部２２に、ＣＱＩ測定指示を通知し、ＣＱＩ測定部２２にＣＱＩ測定を実行させる。ＣＱＩ測定部２２は、測定すべきサブフレームサブセットのＣＱＩ測定を行う（ステップＳ８−３）。
【０１４３】
ＣＱＩ測定は、アイドルモード中において周期的に行ったり、所定のイベントを契機として行ったりすることができる。
図２４（ａ）は、ＣＱＩ測定を周期的に行う場合の第１の処理手順を示している。図２４（ａ）は、タイミング制御部２３が、ＲＲＣレイヤに設けられている場合を示しており、タイミング制御部２３は、ＣＱＩ測定を行う周期をタイマで計測し（ステップＳ９−１，Ｓ９−２）、所定の周期ごとに、ＣＱＩ測定指示をＭＡＣレイヤへ通知する。ＭＡＣレイヤでは、ＲＲＣレイヤからの測定指示に従って、ＰＨＹレイヤにＣＱＩ測定指示を通知する（ステップＳ９−３）。ＰＨＹレイヤのＣＱＩ測定部２２は、通知を受けると、ＣＱＩ測定を行う（ステップＳ９−４）。
なお、タイミングを計測するタイマを、ＭＡＣレイヤに設けておいても良い。
【０１４４】
図２４（ｂ）は、ＣＱＩ測定を所定のイベントを契機として行う場合の第２の処理手順を示している。ここでは、所定のイベントとして、端末装置２とピコＢＳ１ｂとの接続を確立する接続（RRC Connection）確立処理の開始の契機となるイベント（RRC Connection確立イベント）を採用する。RRC Connection確立イベントが発生すると（ステップＳ１０−１）、RRC Connection手順を開始するまでに、ＲＲＣレイヤのタイミング制御部２３は、ＣＱＩ測定指示を、ＭＡＣレイヤへ通知する。ＭＡＣレイヤでは、ＲＲＣレイヤからの測定指示に従って、ＰＨＹレイヤにＣＱＩ測定指示を通知する（ステップＳ１０−２）。すると、ＰＨＹレイヤのＣＱＩ測定部２２は、測定すべきサブフレームサブセットのＣＱＩ測定を行う（ステップＳ１０−３）。そして、ＣＱＩ測定結果は、ＰＨＹレイヤから、ＭＡＣレイヤに報告される。ＭＡＣレイヤでは、報告されたＣＱＩ測定結果に基づいて、ＣＱＩレポートの作成が行われ（ステップＳ１０−４）、ＭＡＣレイヤからＲＲＣレイヤのＣＱＩレポート送信部２４に通知される。
【０１４５】
［６．４．２  ＣＱＩレポート送信］
ＣＱＩ測定結果を受け取ったＣＱＩレポート送信部２４は、ＣＱＩレポートを、ピコＢＳ１ｂへ送信する。ＣＱＩレポート送信部２４は、ＣＱＩレポートを、端末装置２とピコＢＳ１ｂとの接続（RRC Connection）の確立のために端末装置２からピコＢＳ１ｂに送信されるメッセージ（無線接続制御に関するメッセージ）に含めて送信する。
接続（RRC Connection）の確立のためのメッセージ（無線接続制御に関するメッセージ）としては、図２５に示すように、例えば、RRC Connection Request、RRC Connection Setup Complete  又は、RRC Connection Reconfiguration Completeを用いることができる。接続（RRC Connection）の確立のためのメッセージ（無線接続制御に関するメッセージ）とともに、ＣＱＩレポートが送信されることで、ピコＢＳ１ｂは、接続確立後、直ちに、適切な送信状態で送信を行うことができる。
なお、ＣＱＩレポートは、端末装置２から基地局装置１へ送信される他のメッセージに格納して送信してもよい。
【０１４６】
図２６は、ＣＱＩレポートを示すＩＥ（Information Element）の具体例を示した。３ＧＰＰ標準仕様では、ＣＱＩレポートは、端末装置２のＭＡＣレイヤから基地局装置へ通知される。ＴＳ３６．２１３では、ＣＱＩ関連情報として、ＣＱＩＶａｌｕｅ（０〜１５）、ＰＭＩ（０〜１５）、ＲＩ（０〜３）が定義されている。本実施形態では、図２６に示すように、ＴＳ３６．２１３におけるＣＱＩレポートの定義を利用する。
【０１４７】
図２６のように定義されたＣＱＩレポートが格納されるRRC Connection Requestメッセージの具体例は、図２７に示すとおりである。また、図２８は、RRC Connection Setup Completeメッセージに図２０のように定義されたＣＱＩレポートを格納した具体例であり、図２３は、RRC Connection Reconfiguration Completeメッセージに図２６のように定義されたＣＱＩレポートを格納した具体例である。図２７〜図２９において、下線で示す部分が、ＣＱＩレポートの部分である。
【０１４８】
また、ＣＱＩレポートの送信を、３ＧＰＰ標準仕様のとおり、ＭＡＣレイヤで行っても良い。この場合、図３０において、「ＣＱＩ測定結果通知（１）」で示すように、接続（RRC Connection）確立処理中において、ＭＡＣレイヤでの通知が可能となったタイミングで通知することができる。
また、図３０において、「ＣＱＩ測定結果通知（２）」で示すように、接続（RRC Connection）確立処理直後において、ＭＡＣレイヤでの通知が可能となったタイミングで通知することができる。
【０１４９】
上記の実施形態によれば、ＣＱＩが接続確立前に測定されているため、基地局装置は、端末装置と基地局装置とが通信可能となった直後から、端末装置に対して、適切なサブセット割り当てが可能である。
【０１５０】
［６．５  第５例］
第４例のようなＣＱＩの事前測定は、端末装置２が、接続確立前から、接続しようとするピコＢＳ１ｂのセル圏内に位置している場合には、有効である。しかし、端末装置２が、他のセル（例えば、マクロセルＭＣ）から、ピコセルＰＣに移動してきて、ピコＢＳ１ｂとの接続を確立しようとする場合には、ピコセルＰＣにおけるＣＱＩの事前測定が困難である。
【０１５１】
そこで、第５では、端末装置２が、接続確立処理を行おうとする際には、その前処理として、図３１に示す処理を実行する。
前記前処理として、端末装置２は、接続確立処理を行おうとする際には、まず、接続を確立しようとするピコＢＳ１ｂから指定されたサブセットのＣＱＩ測定結果(ＣＱＩ情報)を有しているか否かを判断する（ステップＳ１１−１）。接続を確立しようとするピコＢＳ１ｂのＣＱＩ測定結果(ＣＱＩ情報)を有している場合には、それ以前のアイドルモード中も、ピコセルＰＣに在圏しており、［６．４．１  アイドルモード（Idle Mode）でのＣＱＩ事前測定］で説明したように、ピコセルＰＣでのＣＱＩ事前測定が行われている。したがって、端末装置２は、［６．４．２  ＣＱＩレポート送信］で説明したように、接続確立処理中又は接続処理確立直後に、ＣＱＩレポート送信を行わせる第１手順を実行する。
【０１５２】
一方、ステップＳ１１−１にて、接続を確立しようとするピコＢＳ１ｂから指定されたサブセットのＣＱＩ測定結果(ＣＱＩ情報)を有していないと判断された場合（ＣＱＩ測定結果が、他の基地局装置についてのものである場合も含む）、第２手順を実行する。
第２手順では、ＣＱＩの事前測定が行われていないことから、端末装置２と基地局装置１との接続が確立した後に、ＣＱＩ測定及びＣＱＩレポート送信を行う。
【０１５３】
図３２は、接続を確立しようとするピコＢＳ１ｂから指定されたサブセットのＣＱＩ測定結果(ＣＱＩ情報)を有していない場合のための第２手順の具体例を示している。
図２６では、図１０と同様に、端末装置２のＣＱＩ測定部２２によるＣＱＩの測定は、接続（RRC Connection）確立処理（無線接続制御）の後に行われる（ステップＳ１２−１）。ピコＢＳ１ｂの状態選択部１５は、端末装置２からＣＱＩレポートを取得した後、第１送信状態又は第２送信状態の選択をする（ステップＳ１２−２）。なお、図３２のＳ１２−２では、選択部１５による選択を、第２サブフレームサブセットＢの使用の可否（第２送信状態の可否）の判断として示した。
【０１５４】
選択部１５は、ＣＱＩレポートを取得すると、取得したＣＱＩレポートに基づいて、第２サブフレームサブセットＢを使用してよいと判断した場合、第２送信状態を選択する。つまり、端末装置２は、第２サブフレームサブセットＢだけを使用して通信するか、第１及び第２サブフレームサブセットＡ，Ｂを併用して通信する。
一方、状態選択部１５は、第２サブフレームサブセットＢを使用不可と判断した場合、第１送信状態を選択する。
また、状態選択部１５は、ＣＱＩレポートを取得するまでは、第１送信状態を選択する。したがって、接続確立処理中、及び、接続が確立してからＣＱＩレポートを取得するまでは、第１サブフレームサブセットＡだけを使用した送信が行われる。
【０１５５】
以上のような第２手順を採用するのは、次の理由によるものである。すなわち、端末装置２が、基地局装置との接続を確立しようとする際において、端末装置２がＣＱＩ測定結果を有していないのは、端末装置２が他のセルから移動してきたセル間移動直後であるとみなすことができる。セル間移動直後であれば、端末装置２は、セルエッジ付近に存在しているとみなすことができる。したがって、端末装置２は、他の基地局装置（マクロＢＳ１ａ）からの干渉を受け易い位置にあることになる。
そこで、ピコＢＳ１ｂの状態選択部１５は、ＣＱＩレポート取得するまでの間は、ＣＱＩレポートに基づくことなく、端末装置２がセルエッジ付近に位置しているとみなして、セルエッジ付近用の第１サブフレームサブセットＡを使用する第１送信状態を選択する。
【０１５６】
なお、端末装置２が、基地局装置との接続を確立しようとする際において、端末装置２がＣＱＩ測定結果を有していないのは、端末装置２が、電源ＯＦＦ状態から電源ＯＮされた直後である場合や、端末装置２が、セルフモード（電源ＯＮであるが通信しないモード）から復帰した場合なども考えられる。このような場合には、実際には、端末装置２がピコセルＰＣの中央付近に位置していることもありえるが、セルエッジ付近に位置しているとみなしても、特に問題はない。
【０１５７】
また、第５例においても、図２１に示したように、サブセット情報は、端末装置２とピコＢＳ１ｂの接続確立処理（無線接続制御）のためにピコＢＳ１ｂから端末装置へ送信されるメッセージ（RRC Connection Setupなどの無線接続制御に関するメッセージ）に含めて送信されるため、端末装置２によるＣＱＩ測定を、比較的早期に行うことができる。
また、第５例において、RRC Connection Setupは、ＣＱＩレポートに関するコンフィグ情報（ＴＳ３６．３３１CQI-ReportConfig）を含んでおり、端末装置２は、コンフィグ情報の取得以降、ＣＱＩレポートを、基地局装置に対して送信可能である。
【０１５８】
なお、ピコＢＳ１ｂのＣＱＩレポート取得部１４は、ＣＱＩ事前測定を行った端末装置２のために、接続確立処理中又は接続確立直後において、ＣＱＩレポートの取得を試みる。しかし、端末装置２が、図３１に示す第２手順に設定されているために、接続確立処理中又は接続確立直後のＣＱＩレポート送信がないこともある。この場合、状態選択部１５は、第１送信状態を維持しつつ、ＣＱＩレポート取得部１４は、ＣＱＩレポートが送信されてくるのを待機する。
また、図３２において、ＲＡＣＨ  Ｐｒｏｃｅｄｕｒｅは、アップリンクのタイミング同期、ＰＨＹレイヤの通信に必要なユーザＩＤ（Ｃ−ＲＮＴＩ）の決定・通知を行うものである。
【０１５９】
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【０１６０】
例えば、実施形態で説明したピコＢＳ１ｂの機能は、フェムトＢＳ１ｃなど、その他の基地局装置（特に、小型基地局装置）に具備させることができる。
【符号の説明】
【０１６１】
１：基地局装置（１ａ：マクロ基地局装置，１ｂ：ピコ基地局装置，１ｃ：フェムト基地局装置）
２：端末装置
３：ＭＭＥ
５：ゲートウェイ
６：Ｓ１インターフェース
７：Ｘ２インターフェース
１１：ＡＢＳ情報取得部
１２：パターン選択部
１３：サブセット情報通知部
１４：ＣＱＩレポート取得部
１５：状態選択部
２１：サブセット情報取得部
２２：ＣＱＩ測定部
２３：タイミング制御部
２４：ＣＱＩレポート送信部
Ａ：第１サブフレームサブセット
Ｂ：第２サブフレームサブセット
【図１】
2012096049.tif 000003
【図２】
2012096049.tif 000004
【図３】
2012096049.tif 000005
【図４】
2012096049.tif 000006
【図５】
2012096049.tif 000007
【図６】
2012096049.tif 000008
【図７】
2012096049.tif 000009
【図８】
2012096049.tif 000010
【図９】
2012096049.tif 000011
【図１０】
2012096049.tif 000012
【図１１】
2012096049.tif 000013
【図１２】
2012096049.tif 000014
【図１３】
2012096049.tif 000015
【図１４】
2012096049.tif 000016
【図１５】
2012096049.tif 000017
【図１６】
2012096049.tif 000018
【図１７】
2012096049.tif 000019
【図１８】
2012096049.tif 000020
【図１９】
2012096049.tif 000021
【図２０】
2012096049.tif 000022
【図２１】
2012096049.tif 000023
【図２２】
2012096049.tif 000024
【図２３】
2012096049.tif 000025
【図２４】
2012096049.tif 000026
【図２５】
2012096049.tif 000027
【図２６】
2012096049.tif 000028
【図２７】
2012096049.tif 000029
【図２８】
2012096049.tif 000030
【図２９】
2012096049.tif 000031
【図３０】
2012096049.tif 000032
【図３１】
2012096049.tif 000033
【図３２】
2012096049.tif 000034
【国際調査報告】
2012096049.tif 000035
2012096049.tif 000036
2012096049.tif 000037